(57)【特許請求の範囲】
【請求項１】
統合されたクラフトパルプ工場および熱化学変換システムであって、
リグノセルロース系材料を白液で蒸解して、パルプおよび黒液を製造するための蒸解装置を含むクラフトパルプ工場と、
前記パルプ工場から受け取った蒸解廃液を有機物質供給原料および水と混ぜ合わせて反応混合物を生成するための少なくとも１つの混合タンクであって、前記蒸解廃液は黒液であり、前記有機物質供給原料は蒸解廃液ではない、混合タンク、
前記反応混合物中の全てまたは一部の前記有機物質を、バイオ生成物と有機および無機化合物の両方を含む水溶液流とを含む生成物混合物に、変換するのに好適する反応温度および圧力で、前記混合タンクから受け取った前記反応混合物を処理するための反応器、および
前記反応器から受け取った生成物混合物を除圧するための減圧装置、
を含む熱化学変換サブシステムと、
前記蒸解廃液を前記パルプ工場から前記混合タンクに送るための１つまたは複数のコンベヤーと、を含むシステム。
【請求項２】
前記パルプ工場が、前記蒸解装置から受け取った希黒液を濃縮して濃黒液および凝縮水を生成するための蒸発器をさらに含む、請求項１に記載のシステム。
【請求項３】
前記凝縮水が、有機物富化凝縮水であり、前記有機物富化凝縮水が、メタノール、エタノール、有機および／または還元硫黄種、またはこれらの任意の組み合わせを含む、請求項２に記載のシステム。
【請求項４】
前記有機または還元硫黄種が、メチルメルカプタン、硫化水素、ジメチルメルカプタン、ジメチルジスルフィド、またはこれらの組み合わせを含む、請求項３に記載の方法。
【請求項５】
前記１つまたは複数のコンベヤーが、希液を前記混合タンクに送るための希液コンベヤー、濃黒液を前記蒸発器から前記混合タンクに送るための濃黒液コンベヤー、重黒液を濃縮機から前記混合タンクに送る重黒液コンベヤー、またはこれらの組み合わせを含む、請求項２、３、または４に記載のシステム。
【請求項６】
一部の前記黒液が、前記希黒液の表面に集まったトール油石鹸に同伴され、前記希黒液の表面からすくい取られたトール油石鹸を前記混合タンクに運ぶトール油石鹸コンベヤーをさらに含む、請求項２〜５のいずれか１項に記載のシステム。
【請求項７】
前記パルプ工場の少なくとも１つの水源から前記混合タンクに水を運ぶための少なくとも１つの水コンベヤーをさらに含み、前記パルプ工場の少なくとも１つの水源が、
工場水、
褐色紙料洗浄由来の希濾液、
漂白廃水、
清浄凝縮水；
不浄凝縮水、
汚染凝縮水、
混合凝縮水、
ストリッパー凝縮水、
蒸解装置凝縮水、
蒸発器凝縮水、
またはこれらの任意の組み合わせを含む、請求項１〜６のいずれか１項に記載のシステム。
【請求項８】
前記パルプ工場に付随する少なくとも１つの蒸気源から前記反応器に蒸気を運ぶための少なくとも１つの蒸気コンベヤーをさらに含む、請求項１〜７のいずれか１項に記載のシステム。
【請求項９】
前記パルプ工場に付随する少なくとも１つの蒸気源からの蒸気が、少なくとも１つの熱交換器を経由して、前記反応器または前記供給原料に送られる、請求項８に記載のシステム。
【請求項１０】
前記少なくとも１つの蒸気源が、
ホッグフューエルボイラー、
回収ボイラー、
パッケージボイラー、
ブロータンク、
タービン、
復水タービン、
前記熱化学反応器由来の熱水混合蒸気、
またはこれらの任意の組み合わせである、請求項８または９に記載のシステム。
【請求項１１】
前記熱化学変換サブシステムが、前記反応生成物を前記バイオ生成物および分離水に分離するための分離装置をさらに含む、請求項１〜１０のいずれか１項に記載のシステム。
【請求項１２】
分離水を前記パルプ工場または廃水処理システムに送るための少なくとも１つの分離水コンベヤーをさらに含む、請求項１１に記載のシステム。
【請求項１３】
前記少なくとも１つの分離水コンベヤーが、有機物除去用空気または蒸気ストリッパー、有機物除去用蒸留塔、褐色紙料洗浄、漂白プラント、再苛性化装置、前記廃水処理システム、これらの任意の組み合わせに前記分離水を送るためのものである、請求項１１に記載のシステム。
【請求項１４】
前記減圧装置から前記パルプ工場に蒸気を送るための蒸気導管をさらに含む、請求項１〜１２のいずれか１項に記載のシステム。
【請求項１５】
システムは、前記パルプ工場中の少なくとも１つの有機物質源から前記混合タンクに有機物質を送り、少なくとも一部の前記反応混合物を形成するための少なくとも１つの有機物質コンベヤーをさらに含む、請求項１〜１３のいずれか１項に記載のシステム。
【請求項１６】
前記少なくとも１つの有機物質源が、
希黒液、
濃黒液、
凝縮水、
トール油石鹸、
天然硫酸テレビン油、
ノット、
スクリーンかす、
黒液繊維廃棄物、
前記廃水処理システム由来一次スラッジ、
廃水処理プラント由来二次スラッジ、
ホッグフューエル、
木材チップ、
オガクズ、
砕木粉、
またはこれらの任意の組合せである、請求項１５に記載のシステム。
【請求項１７】
前記混合タンクが黒液、有機物質、凝縮水、またはこれらの任意の組み合わせを、前記パルプ工場から受け取る速度を検出する１つまたは複数の検出器をさらに含む、請求項１〜１６のいずれか１項に記載のシステム。
【請求項１８】
前記混合タンクでの黒液、有機物質、凝縮水またはこれらの任意の組み合わせの、前記パルプ工場からの前記検出受け取り速度の変化に応じて、有機材料が前記混合タンクおよび反応器に加えられる速度を調節するための調節器をさらに含む、請求項１７に記載のシステム。
【請求項１９】
水溶液流を前記熱化学変換サブシステムから前記パルプ工場に送るための少なくとも１つの水溶液流コンベヤーをさらに含む、請求項１〜１８のいずれか１項に記載のシステム。
【請求項２０】
灰分を前記パルプ工場の少なくとも１つの灰分源から前記混合タンクへ送るための少なくとも１つの灰分コンベヤーをさらに含み、前記少なくとも１つの灰分源が、ホッグフューエルボイラー灰分、フライアッシュ、またはその両方である、請求項１〜１９のいずれか１項に記載のシステム。
【請求項２１】
前記反応器中の固形物堆積を減らすために、緑液清澄器から前記混合タンクへ滓を運ぶための滓コンベヤーをさらに含む、請求項１〜２０のいずれか１項に記載のシステム。
【請求項２２】
非凝縮性ガス（ＮＣＧ）中の硫黄の回収または分解のために、前記減圧装置から、回収ボイラー、石灰キルン、ホッグフューエルボイラー、ＮＣＧ焼却炉、またはこれらの任意の組み合わせに、前記ＮＣＧを送るＮＣＧコンベヤーをさらに含む、請求項１〜２１のいずれか１項に記載のシステム。
【請求項２３】
蒸解および／または漂白のための苛性物および塩素ならびに前記熱化学変換システムの前記水素化処理装置に送ることができる水素の供給用の塩素アルカリプラント、
二酸化塩素の前記パルプ工場の漂白プラントへの供給、および水素の前記熱化学変換システムの水素化処理装置への供給用の塩素酸ナトリウムプラント、
前記熱化学変換システムの水素化処理装置へ水素を供給するための過酸化水素プラント、
またはこれらの任意の組み合わせをさらに含む、請求項１〜２１のいずれか１項に記載のシステム。
【請求項２４】
バイオ生成物の製造方法であって、
リグノセルロース系材料を白液で蒸解して、パルプおよび黒液を製造すること、
有機物質供給原料および水と混ぜ合わせるために、少なくとも一部の前記黒液を熱化学変換システムに送ること、ただし、前記有機物質供給原料は蒸解廃液ではない、
前記一部の黒液を前記有機物質供給原料および水と混ぜ合わせて、反応混合物を生成すること、
前記反応混合物中の全てまたは一部の有機物質を、前記バイオ生成物および水溶液流を含む生成物混合物に変換するのに好適する反応温度および圧力で、前記反応混合物を処理すること、
および、前記生成物混合物を除圧すること、を含む方法。
【発明の詳細な説明】
【技術分野】
【０００１】
本出願は、２０１４年１０月１５日に出願されたオーストラリア特許仮出願第２０１４９０４１２９号、および２０１５年５月４日に出願された米国特許仮出願第６２／１５６，７３７号に対する優先権を主張する。前述の出願のそれぞれは、参照によりその全体が本明細書に組み込まれる。
【０００２】
発明の分野
本開示は、一般に、有機物質供給原料からのバイオ生成物の生成に関する。より具体的には、本開示は、リグノセルロース系および／または化石化有機供給原料のバイオ燃料（例えば、バイオオイル）および／または化学製品（例えば、プラットフォーム化学製品）への熱水／熱化学変換における蒸解廃液の使用に関する。本開示はさらに、熱化学変換プラントとクラフトパルプ工場の統合のための方法とシステムに関する。
【背景技術】
【０００３】
関連技術の記載
クラフトパルプ工場は、木質マトリックスの木材抽出物（樹脂および脂肪酸）、ヘミセルロースおよびリグニン画分を選択的に溶解することにより、木材チップをセルロースリッチパルプ繊維に変換する。このプロセスでは、いくつかの有機廃棄物流が生成される。溶解した木材抽出物、セルロース断片および誘導された糖類、ヘミセルロースおよびリグニン画分有機物は、ひとまとめにして、黒液と呼ばれる。黒液は通常、１５重量％から約７０重量％の固形物にまで濃縮された後、回収炉中で灰化されて、熱および無機蒸解化学薬品が回収される。クラフトパルプ工場はまた、一次スラッジを生成し、これは、ほとんどが種々の下水道から収集された固形廃棄物パルプ繊維（セルロース）であり、この材料は通常、埋め立てに使われる。ストリッパー凝縮水は、さらに別の有機物に富んだ少量の廃水流であり、有用なメタノールおよびメルカプタンが豊富である。最後に、パルプ工場はまた、ホッグフューエル（例えば、樹皮およびその他の低品質木材）の燃焼によりオンサイト発電が可能となる。得られた灰分は、約５０重量％の炭素を含む。クラフトパルプ工場からの有機物質廃水流を、単にそれらを燃焼させるまたは埋立に向けるのではなく、付加価値生成物に変換することは、いまだ難題である。
【０００４】
一方、エネルギーの世界的需要は、上昇を続け、一方で従来の石油（例えば、石油、ガス、および液化天然ガス）の埋蔵量は減少している。このため、従来と異なった燃料資源（例えば、重油、オイルサンド、オイルシェール）その他の非化石エネルギー燃料源（例えば、リグノセルロース系材料）への注力と研究が増加してきた。
【０００５】
「代替」エネルギー生産の分野での相当量の研究は、リグノセルロース系物質からのバイオ燃料の生成に焦点が置かれた。この技術は、炭化水素系原材料の埋蔵量の枯渇に代わりうる方法として、エネルギー生産のための豊富で再生可能な供給原料への転換に対する期待をもたらしている。これらの資源の相対的存在量を考慮すると、低エネルギー密度化石燃料（例えば、褐炭、泥炭およびオイルシェール）の高エネルギー燃料製品への濃縮もまた、魅力的な代替案である。
【０００６】
特に、熱水反応をベースにしたバイオマスおよびその他の複雑な有機物質のバイオ燃料および化学薬品への熱化学変換は大きな将来性を示した。ガス化プロセスは通常、より高温（例えば、４００℃〜７００℃）で実施され、メタンまたは水素ガスが高収率で生産できる。液化プロセスは通常、より低温（例えば、２００℃〜４００℃）で行われ、この分野で「バイオオイル」または「バイオ原油」液体生成物が生産される。既存の化石燃料に対する実現性のある置換物または補充物を提供するために、これらのおよび関連技術から生成されるバイオオイルは、原油に近い特性（例えば、高エネルギー／収率、低酸素／含水量、低粘度）が必要である。さらに、経済的実現可能性の観点から、この種のプロセスはコスト効率が高いことが極めて重要である。
【０００７】
バイオオイル生産の熱化学プロセスを改善するための多くの修正方式が開発されている。例えば、従来のプラント材料からの穏やかな条件下でのヘミセルロースの除去は、リグノセルロース系供給原料からのバイオオイルの生産を改善することができる（国際公開第２０１０／０３７１７８号を参照）。また、供給原料スラリーを反応温度まで徐々に加熱するのではなく、スラリーを既に超臨界状態になっている溶媒に接触させることにより、バイオオイル生産において有利な効果を得ることができることも示された（国際公開第２０１２／００００３３を参照）。供給原料スラリー（これも同様に再生バイオオイル生成物である）中に石油を導入することにより、プロセス効率および生成物特性が改善されることが示された（国際公開第２０１２／０９２６４４号を参照）。熱化学変換プロセスで使われる有機物質供給原料中に固体基質を含めることにより、スケール生成を減らし、および／または処理中の圧力差の発生を減らすことが示された（国際出願第ＰＣＴ／ＡＵ２０１４／００６０１号を参照）。これらの進展にもかかわらず、いまだに、プロセス効率を高め、コストを下げ、および／または生成物特性を向上させることができる熱化学プロセスに対する新しい改善が望まれている。
【０００８】
バイオマスをバイオ燃料に熱化学変換を行う場合、ほとんどのプロセスではないにしても、多くのプロセスが触媒を利用して、プロセス効率を高め、および／または生成物特性を改善している。これらのプロセスでは、広範囲の触媒が使用されており（例えば、国際公開第２０１１／１２３８９７号参照）、適切な触媒の組み合わせおよび／または触媒の代替物原料の特定により、既存のバイオオイル製造方法を改善する好機が得られる。
【発明の概要】
【０００９】
本開示は、蒸解廃液がバイオマスのバイオ燃料への効率的熱化学変換を促進する効果的な触媒源として使用できるという発見に関する。それらの有機含量（例えば、リグノセルロース系物質）を考慮すると、黒液はまた、バイオ生成物への変換が可能な追加の供給材料源を提供する。次に、このバイオ生成物が必要な供給原材料の量を減らすことにより、コスト上の利益をもたらすことができる。黒液を使うことの主要な利点は、バイオ原油生成物は、その他の既知のプロセスのように中間体リグニン固体の製造を必要としないため、運転費用が削減され、もろく、疎水性、爆発性および腐食性であるリグニン粉末の取り扱いおよび販売に関連する大きな技術的問題が回避されることである。この発見は、バイオマスのバイオ燃料への熱化学変換システムとクラフトパルプ工場の統合に関し、多くの好機を提供する。
【００１０】
本開示は、黒液などの蒸解廃液がバイオマスのバイオ燃料への効率的熱化学変換を促進する効果的な触媒源として使用できるという予想外の発見に関する。その有機含量（例えば、セルロース系物質）を考慮して、蒸解廃液はまた、バイオ生成物への変換が可能な追加の供給材料源を提供する。このバイオ生成物が次に、必要な供給原材料の量を減らすことにより、コスト上の利益をもたらすことができる。
【００１１】
本開示は、有機物質供給原料からバイオ生成物を製造する方法を提供し、該方法は、有機物質供給原料、溶媒、および蒸解廃液を含む反応混合物を用意すること、全てまたは一部の有機物質供給原料を、バイオ生成物を含む生成物混合物に変換するのに好適する反応温度および圧力で、反応器中の反応混合物を処理すること、および生成物混合物の除圧および冷却をすることを含み、反応混合物および生成物混合物が、前記処理中に反応器を通る連続流として移動する。
【００１２】
種々の実施形態では、有機物質供給原料は、リグノセルロース系供給原料である。種々の実施形態では、有機物質供給原料は、石炭供給原料である（例えば、褐炭供給原料）。種々の実施形態では、有機物質供給原料および蒸解廃液は、両方とも黒液である。種々の実施形態では、蒸解廃液は黒液であり、有機物質供給原料は蒸解廃液ではない。種々の実施形態では、有機物質供給原料および蒸解廃液は、両方ともパルプ黒色廃液（黒液）を含む、またはこれから構成される。種々の実施形態では、蒸解廃液は、黒液を含む、またはこれからなり、有機物質供給原料は蒸解廃液を含まない、または蒸解廃液から構成されない。
【００１３】
種々の実施形態では、蒸解廃液は黒液である。黒液は、化学パルプ化プロセス後にパルプから分離でき、このプロセスでは、木材供給原料は、熱および圧力下でパルプ化化学薬品により蒸解される。黒液は、乾燥黒液固形物（ＤＢＬＳ）を基準にして、約２．５〜７．０重量％の水酸化ナトリウム（ＮａＯＨ）、約０．０６〜３．０重量％の硫化ナトリウム（Ｎａ２Ｓ）、約４．５〜約１６．０重量％の炭酸ナトリウム（Ｎａ２ＣＯ３）、約０．５ｇ／ｌ〜約５ｇ／ｌの亜硫酸ナトリウム（Ｎａ２ＳＯ３）、約１．９〜約１６．６重量％の硫酸ナトリウム（Ｎａ２ＳＯ４）、約２．４〜約７．５重量％のチオ硫酸ナトリウム（Ｎａ２Ｓ２Ｏ３）、および約５０〜約７０重量％の有機固体を含んでよい。
【００１４】
黒液は、約１．０ｇ／ｌ〜２．０ｇ／ｌの水酸化ナトリウム（ＮａＯＨ）、約３．５ｇ／ｌ〜５．５ｇ／ｌの硫化ナトリウム（Ｎａ２Ｓ）、約６．５ｇ／ｌ〜約９．０ｇ／ｌの炭酸ナトリウム（Ｎａ２ＣＯ３）、約１．０ｇ／ｌ〜約３．０ｇ／ｌの亜硫酸ナトリウム（Ｎａ２ＳＯ３）、約２．０ｇ／ｌ〜約４ｇ／ｌの硫酸ナトリウム（Ｎａ２ＳＯ４）、約２．０ｇ／ｌ〜約４．５ｇ／ｌのチオ硫酸ナトリウム（Ｎａ２Ｓ２Ｏ３）、および約２０ｇ／ｌ〜約５０ｇ／ｌの有機固体を含んでよい。
【００１５】
黒液は、約４重量％〜１０重量％の水酸化ナトリウム（ＮａＯＨ）、約１０重量％〜３０重量％の硫化ナトリウム（Ｎａ２Ｓ）、約２５重量％〜約５０重量％の炭酸ナトリウム（Ｎａ２ＣＯ３）、約５重量％〜約１５重量％の亜硫酸ナトリウム（Ｎａ２ＳＯ３）、約８重量％〜約２０重量％の硫酸ナトリウム（Ｎａ２ＳＯ４）、約１０重量％〜約２５重量％のチオ硫酸ナトリウム（Ｎａ２Ｓ２Ｏ３）、および約１０重量％〜約９０重量％の有機固体または約３０重量％〜約７０重量％の有機固体を含んでよい。
【００１６】
黒液は、約５重量％〜９重量％の水酸化ナトリウム（ＮａＯＨ）、約１５重量％〜２５重量％の硫化ナトリウム（Ｎａ２Ｓ）、約２５重量％〜約４５重量％の炭酸ナトリウム（Ｎａ２ＣＯ３）、約５重量％〜約１５重量％の亜硫酸ナトリウム（Ｎａ２ＳＯ３）、約１０重量％〜約１５重量％の硫酸ナトリウム（Ｎａ２ＳＯ４）、約１３重量％〜約２０重量％のチオ硫酸ナトリウム（Ｎａ２Ｓ２Ｏ３）、および約４０重量％〜約９０重量％の有機固体または約５０重量％〜約８０重量％の有機固体、または約６０重量％〜約７５重量％の有機固体を含んでよい。
【００１７】
黒液は、無機成分、溶解木材物質、酢酸、ギ酸、糖類、カルボン酸、キシラン、およびメタノールの内のいずれか１種以上を含んでよい。
【００１８】
種々の実施形態では、蒸解廃液はパルプ緑色廃液（緑液）である。
緑液は、黒液の処理により得てもよい。緑液は、酸素欠乏環境中で黒液を燃焼させて、得られた材料の溶媒中（例えば、水）への溶解により得てもよい。酸素欠乏環境中で黒液を燃焼する前に、黒液中の有機固体の濃度を増加させて、緑液を得てもよい。黒液中の有機固体の濃度は、蒸発により達成してもよい。
【００１９】
緑液は、約９ｇ／ｌ〜２０ｇ／ｌの水酸化ナトリウム（ＮａＯＨ）、約２５ｇ／ｌ〜５５ｇ／ｌの硫化ナトリウム（Ｎａ２Ｓ）、約８０ｇ／ｌ〜約１４５ｇ／ｌの炭酸ナトリウム（Ｎａ２ＣＯ３）、約４．０ｇ／ｌ〜約８．０ｇ／ｌの亜硫酸ナトリウム（Ｎａ２ＳＯ３）、約６．０ｇ／ｌ〜約１５．０ｇ／ｌの硫酸ナトリウム（Ｎａ２ＳＯ４）、および約３．０ｇ／ｌ〜約９．０ｇ／ｌのチオ硫酸ナトリウム（Ｎａ２Ｓ２Ｏ３）を含んでよい。
【００２０】
緑液は、約１３ｇ／ｌ〜１８ｇ／ｌの水酸化ナトリウム（ＮａＯＨ）、約３０ｇ／ｌ〜４５ｇ／ｌの硫化ナトリウム（Ｎａ２Ｓ）、約９５ｇ／ｌ〜約１２０ｇ／ｌの炭酸ナトリウム（Ｎａ２ＣＯ３）、約５．０ｇ／ｌ〜約７．０ｇ／ｌの亜硫酸ナトリウム（Ｎａ２ＳＯ３）、約９．０ｇ／ｌ〜約１３．０ｇ／ｌの硫酸ナトリウム（Ｎａ２ＳＯ４）、および約４．０ｇ／ｌ〜約７．０ｇ／ｌのチオ硫酸ナトリウム（Ｎａ２Ｓ２Ｏ３）を含んでよい。
【００２１】
緑液は、約４重量％〜１２重量％の水酸化ナトリウム（ＮａＯＨ）、約１５重量％〜２５重量％の硫化ナトリウム（Ｎａ２Ｓ）、約５０重量％〜約７０重量％の炭酸ナトリウム（Ｎａ２ＣＯ３）、約１重量％〜約７重量％の亜硫酸ナトリウム（Ｎａ２ＳＯ３）、約２重量％〜約１０重量％の硫酸ナトリウム（Ｎａ２ＳＯ４）、および約１重量％〜約５重量％のチオ硫酸ナトリウム（Ｎａ２Ｓ２Ｏ３）を含んでよい。
【００２２】
緑液は、約５重量％〜１０重量％の水酸化ナトリウム（ＮａＯＨ）、約１７重量％〜２３重量％の硫化ナトリウム（Ｎａ２Ｓ）、約５５重量％〜約６５重量％の炭酸ナトリウム（Ｎａ２ＣＯ３）、約１重量％〜約４重量％の亜硫酸ナトリウム（Ｎａ２ＳＯ３）、約３重量％〜約９重量％の硫酸ナトリウム（Ｎａ２ＳＯ４）、および約１重量％〜約５重量％のチオ硫酸ナトリウム（Ｎａ２Ｓ２Ｏ３）を含んでよい。
【００２３】
種々の実施形態では、蒸解廃液はパルプ白色廃液（白液）である。
白液は、緑液の処理により得てもよい。白液は、緑液を石灰またはその誘導体（例えば、酸化カルシウム（ＣａＯ）、水酸化カルシウム（ＣａＯＨ））と反応させることにより得てもよい。白液は、約７０ｇ／ｌ〜１１０ｇ／ｌの水酸化ナトリウム（ＮａＯＨ）、約３０ｇ／ｌ〜５５ｇ／ｌの硫化ナトリウム（Ｎａ２Ｓ）、約１８ｇ／ｌ〜約４０ｇ／ｌの炭酸ナトリウム（Ｎａ２ＣＯ３）、約３．０ｇ／ｌ〜約６．０ｇ／ｌの亜硫酸ナトリウム（Ｎａ２ＳＯ３）、約６．０ｇ／ｌ〜約１５．０ｇ／ｌの硫酸ナトリウム（Ｎａ２ＳＯ４）、および約３．０ｇ／ｌ〜約９．０ｇ／ｌのチオ硫酸ナトリウム（Ｎａ２Ｓ２Ｏ３）を含んでよい。白液は、約８５ｇ／ｌ〜１０５ｇ／ｌの水酸化ナトリウム（ＮａＯＨ）、約３２ｇ／ｌ〜４３ｇ／ｌの硫化ナトリウム（Ｎａ２Ｓ）、約２０ｇ／ｌ〜約３０ｇ／ｌの炭酸ナトリウム（Ｎａ２ＣＯ３）、約３．５ｇ／ｌ〜約５．５ｇ／ｌの亜硫酸ナトリウム（Ｎａ２ＳＯ３）、約８．０ｇ／ｌ〜約１０．０ｇ／ｌの硫酸ナトリウム（Ｎａ２ＳＯ４）、および約４．５ｇ／ｌ〜約７．５ｇ／ｌのチオ硫酸ナトリウム（Ｎａ２Ｓ２Ｏ３）を含んでよい。白液は、約４０重量％〜６５重量％の水酸化ナトリウム（ＮａＯＨ）、約１０重量％〜３０重量％の硫化ナトリウム（Ｎａ２Ｓ）、約８重量％〜約２２重量％の炭酸ナトリウム（Ｎａ２ＣＯ３）、約１重量％〜約６重量％の亜硫酸ナトリウム（Ｎａ２ＳＯ３）、約２重量％〜約１０重量％の硫酸ナトリウム（Ｎａ２ＳＯ４）、および約１重量％〜約５重量％のチオ硫酸ナトリウム（Ｎａ２Ｓ２Ｏ３）を含んでよい。白液は、約４５重量％〜６０重量％の水酸化ナトリウム（ＮａＯＨ）、約１５重量％〜２５重量％の硫化ナトリウム（Ｎａ２Ｓ）、約１０重量％〜約２０重量％の炭酸ナトリウム（Ｎａ２ＣＯ３）、約２重量％〜約５重量％の亜硫酸ナトリウム（Ｎａ２ＳＯ３）、約２重量％〜約７重量％の硫酸ナトリウム（Ｎａ２ＳＯ４）、および約１．５重量％〜約４重量％のチオ硫酸ナトリウム（Ｎａ２Ｓ２Ｏ３）を含んでよい。
【００２４】
種々の実施形態では、処理は、反応混合物を２５０℃〜４５０℃の温度、および１００バール〜３００バールの圧力での処理を含む。処理は、スラリーの少なくとも約２５０℃、少なくとも約３００℃、少なくとも約３５０℃、少なくとも約３７０℃、少なくとも約３９０℃、少なくとも約４００℃、約２００℃〜約４００℃、約２００℃〜約４００℃、約３００℃〜約４００℃、約３５０℃〜約４００℃、および約３７０℃〜約４５０℃からなる群より選択される温度への加熱を含んでよい。処理は、反応混合物の約１００バール〜約４００バール、約１５０バール〜約４００バール、約２００バール〜約４００バール、約１５０バール〜約３５０バール、約１８０バール〜約３５０バール、約１５０バール〜約３００バール、約１５０バール〜約２８０バール、約１５０バール〜約２７０バール、または約２００バール〜約３００バールでの加圧を含んでよい。処理は、反応混合物の３１０℃〜３６０℃の温度、および１６０バール〜２５０バールの圧力での処理を含んでよい。処理は、反応混合物の３２０℃〜３６０℃の温度、および２２０バール〜２５０バールの圧力での処理を含んでよい。処理は、反応混合物の、（ｉ）２００℃〜４５０℃の温度、および１００バール〜３００バールの圧力、（ｉｉ）２５０℃〜３５０℃の温度、および１４０バール〜２４０バールの圧力、での処理を含んでよい。
【００２５】
種々の実施形態では、方法は、有機物質および蒸解廃液を含むスラリーを用意すること、スラリーとは独立して、亜臨界または超臨界蒸気を生成すること、および前記反応器の少なくとも１つの容器またはチャンバー中で、スラリーを亜臨界または超臨界蒸気に接触させること、を含む。スラリーは、リグノセルロース系供給原料、石炭（例えば、褐炭）、またはこれらの組み合わせを含んでよい。スラリーは、亜臨界または超臨界の蒸気に接触させる前には、周囲温度またはほぼ周囲温度であり、また、周囲気圧またはほぼ周囲気圧であってよい。処理することは、スラリーを、少なくとも約１００℃、少なくとも約１５０℃、少なくとも約２００℃、少なくとも約２５０℃、少なくとも約３００℃、少なくとも約３５０℃、約２００℃〜約２５０℃、約２００℃〜約４００℃、約２５０℃〜約４００℃、約２５０℃〜約３５０℃、および約２５０℃〜約３５０℃からなる群より選択される温度に加熱すること、スラリーとは独立して、亜臨界または超臨界蒸気を生成すること、および反応器の少なくとも１つの容器またはチャンバー中で、スラリーを亜臨界または超臨界蒸気と接触させること、を含んでよい。スラリーは、前記接触させることの前におよび／またはその後に加圧してもよい。
【００２６】
種々の実施形態では、方法は、有機物質を含むスラリーを調製すること、スラリーを少なくとも約１００℃、少なくとも約１５０℃、少なくとも約２００℃、少なくとも約２５０℃、少なくとも約３００℃、少なくとも約３５０℃、約２００℃〜約２５０℃、約２００℃〜約４００℃、約２５０℃〜約４００℃、約２５０℃〜約３５０℃、および約２５０℃〜約３５０℃の温度に加熱すること、スラリーを前記温度に加熱後に蒸解廃液と混合すること、および反応器の少なくとも１つの容器またはチャンバー中でリグノセルロース系供給原料および黒液を含むスラリーを亜臨界または超臨界蒸気と接触させることを含み、亜臨界または超臨界蒸気はスラリーとは独立して生成される。スラリーは、リグノセルロース系供給原料、石炭（例えば、褐炭）、またはこれらの組み合わせを含んでよい。
【００２７】
種々の実施形態では、前記方法は、第１の予備加熱段階および第２の段階を含み、第１の加熱段階で反応混合物が反応温度より低い温度まで加熱され、第２の加熱段階で反応混合物が反応温度まで加熱される。第２の段階は、反応混合物を亜臨界または超臨界蒸気と接触させることを含んでよい。種々の実施形態では、処理の前に、蒸解廃液が供給原料および／または溶媒と混合される。
【００２８】
種々の実施形態では、反応混合物が前記反応温度および圧力に到達後に、蒸解廃液が反応混合物に加えられる。
【００２９】
種々の実施形態では、反応混合物は、１重量％〜３０重量％、５重量％〜３０重量％、１０重量％〜３０重量％、５重量％〜３０重量％、５重量％〜２０重量％、５重量％〜１５重量％、１０重量％〜３０重量％、１０重量％〜３０重量％、１０重量％〜１５重量％、２０重量％未満、３０重量％未満、２５重量％未満、１５重量％未満、１０重量％未満、または５重量％未満の蒸解廃液を含む。
【００３０】
種々の実施形態では、反応混合物は、１重量％〜１００重量％、９０重量％〜１００重量％、９５重量％〜１００重量％、５０重量％〜１００重量％、５０重量％〜９０重量％、５０重量％〜９５重量％、５０重量％〜９５重量％、５０重量％〜８０重量％、５０重量％〜７０重量％、５０重量％〜６０重量％、３０重量％〜９０重量％、４０重量％〜９０重量％、または２０重量％〜７５重量％の蒸解廃液を含む。
【００３１】
種々の実施形態では、反応混合物は、２０重量％未満、３０重量％未満、３５重量％未満、４０重量％未満、４０重量％未満、７０重量％未満、８０重量％未満、９０重量％未満、９５重量％未満、１０重量％〜９５重量％、３０重量％〜９５重量％、５０重量％〜７０重量％、または６０重量％〜８０重量％の溶媒を含む。
【００３２】
種々の実施形態では、溶媒は水性溶媒、油性溶媒、または水性溶媒および油性溶媒の混合物である。油性溶媒または水性溶媒および油性溶媒の混合物は、粗トール油、蒸留トール油、またはこれらの組み合わせを含んでよい。水性溶媒は、水、水のみ、または水およびアルコールを含んでよい。水性溶媒は、水およびアルコールを含んでよく、アルコールは、エタノール、メタノール、またはメタノールおよびエタノールの組み合わせから選択してよい。
【００３３】
前記反応混合物は、３重量％を超える、５重量％を超える、１０重量％を超える、１５重量％を超える、２０重量％を超える、２５重量％を超える、３０重量％を超える、３０重量％未満の、２５重量％未満の、２０重量％未満の、１５重量％未満の、１０重量％未満の、５重量％未満の、または３重量％未満のアルコールを含んでよい。
【００３４】
種々の実施形態では、リグノセルロース系供給原料は、少なくとも１０％のリグニン、少なくとも３５％のセルロース、および少なくとも２０％のヘミセルロースを含むリグノセルロース系物質であってよい。リグノセルロース系供給原料は、約１０％を超えるリグニン、セルロース、およびヘミセルロースのそれぞれを含んでよい。
【００３５】
種々の実施形態では、反応混合物は、１０重量％を超える、１５重量％を超える、２０重量％を超える、３０重量％を超える、３５重量％を超える、または４０重量％を超える有機物質を含む。有機物質は、リグノセルロース系供給原料、石炭（例えば、褐炭）、またはこれらの組み合わせであってよい。
【００３６】
種々の実施形態では、反応混合物は、１０重量％未満、１５重量％未満、２０重量％未満、３０重量％未満、３５重量％未満、４０重量％未満、５０重量％未満、５重量％〜４０重量％、１０重量％〜３５重量％、または１５重量％〜３０重量％の有機物質を含む。有機物質は、リグノセルロース系供給原料、石炭（例えば、褐炭）、またはこれらの組み合わせであってよい。
【００３７】
種々の実施形態では、有機物質は、一部または全部の溶媒を含むスラリーの形で供給される。有機物質は、リグノセルロース系供給原料、石炭（例えば、褐炭）、またはこれらの組み合わせであってよい。有機物質は、一部または全部の溶媒および／または一部または全部の蒸解廃液を含むスラリーの形で供給されてよい。
【００３８】
処理は、０．０１ｃｍ／秒を超える、０．０５ｃｍ／秒を超える、０．５ｃｍ／秒を超える、０．１ｃｍ／秒を超える、１．５ｃｍ／秒を超える、または２．０ｃｍ／秒を超える流速を有するスラリーの形態での有機物質、溶媒、および蒸解廃液の処理を含んでよい。
【００３９】
種々の実施形態では、反応混合物は、連続流条件下で、（ａ）目標温度および圧力への加熱および加圧、（ｂ）目標温度（単一または複数）および圧力（単一または複数）で所定時間（すなわち、「保持時間」）の処理、および（ｃ）冷却および除圧、に供される。
【００４０】
種々の実施形態では、処理は、約２０分間〜約３０分間の時間である。
【００４１】
種々の実施形態では、方法は、処理前に、有機物質供給原料（例えば、リグノセルロース系供給原料、石炭（例えば、褐炭）、またはこれらの組み合わせ）および溶媒を約２分未満の時間内に該温度まで加熱するステップを含む。
【００４２】
種々の実施形態では、方法は、処理前に、有機物質供給原料（例えば、リグノセルロース系供給原料、石炭（例えば、褐炭）、またはこれらの組み合わせ）および溶媒を約２分未満の時間内に該温度および圧力まで加熱および加圧するステップを含む。
【００４３】
種々の実施形態では、方法は、（ｉ）生成物混合物を前記処理後に、約３０秒未満の時間内に約１６０℃〜約２００℃の温度に冷却するステップと、（ｉｉ）圧力降下装置を通して放出することにより、生成物混合物を周囲温度まで除圧および冷却するステップと、を含む。
【００４４】
圧力降下装置は、周囲温度の水に覆われていてもよい。生成物混合物の除圧、冷却は同時に行ってよい。生成物混合物の除圧、冷却は別々に行ってよい。
【００４５】
種々の実施形態では、リグノセルロース系供給原料は、木材である。
【００４６】
種々の実施形態では、反応混合物は、固体基質をさらに含み、該固体基質は、反応温度および圧力で固体または実質的に固体であり、反応混合物または生成物混合物内で不溶化する有機および／または無機の物質を捕捉し、および／または反応器中の反応混合物および／または生成物混合物の１種または複数の流れ特性を変える。有機物質は、リグノセルロース系供給原料、石炭（例えば、褐炭）、またはこれらの組み合わせであってよい。固体基質は、反応器中でスケール生成を抑制し得る。固体基質は、有機物質供給原料のバイオ生成物への変換時の反応器中の圧力勾配の発生を抑制し得る。
【００４７】
除圧は、反応器中の圧力降下装置により促進してよい。
【００４８】
反応混合物は、処理の前にまたは処理中に最大圧力まで加圧してよい。
【００４９】
圧力降下装置により促進される除圧の前に、生成物混合物は、最大圧の、９８％未満、９５％未満、９０％未満、８５％未満、８０％未満、７５％未満、７０％未満、６５％未満、６０％未満、５５％未満、または５０％未満の圧力で加圧してよい。
【００５０】
固体基質は、摩耗作用により反応器内で追加の金属表面積を生成し、それにより、追加の不均一系触媒を供給するための追加の金属表面積を反応混合物に付与してよい。
【００５１】
固体基質は、反応温度および圧力で、不活性または実質的に不活性であってよい。
【００５２】
固体基質は、反応温度および圧力で、化学的に不活性または実質的に化学的に不活性であってよい。
【００５３】
固体基質は、少なくとも５０重量％、少なくとも６０重量％、少なくとも７０重量％、少なくとも８０重量％、または少なくとも９０重量％の炭素を含む炭素質材料であってよい。
【００５４】
種々の実施形態では、固体基質は、石炭、無煙炭、メタ無煙炭、アンスラサイト、半無煙炭、瀝青炭、亜瀝青炭、褐炭（すなわち、褐炭（ｂｒｏｗｎ  ｃｏａｌ））、粘結炭、コールタール、コールタール誘導体、石炭チャー、コークス、高温コークス、鋳物用コークス、低および中温コークス、ピッチコークス、石油コークス、コークス炉コークス、粉コークス、ガスコークス、褐炭コークス、半成コークス、木炭、熱分解チャー、水熱チャー、カーボンブラック、黒鉛微粒子、非晶質炭素、カーボンナノチューブ、炭素ナノ繊維、気相成長炭素繊維、およびこれらの任意の組み合わせからなる群から選択されてよい。
【００５５】
種々の実施形態では、固体基質は、１０％未満、５％未満、１％未満の炭素を含む、または炭素不含の非炭素質材料であってよい。
【００５６】
固体基質は、フライアッシュ、鉱物、炭酸カルシウム、方解石、ケイ酸塩、シリカ、石英、酸化物、金属酸化物、不溶性のまたは実質的に不溶性の金属塩、鉄鉱石、粘土鉱物、滑石、石膏、およびこれらの任意の組み合わせからなる群から選択されてよい。固体基質は、炭酸カルシウム、炭酸マグネシウム、炭酸カルシウムマグネシウム、方解石、石灰岩、苦灰石、水酸化カルシウム、水酸化マグネシウム、酸化カルシウム、酸化マグネシウム、炭酸水素カルシウム、炭酸水素マグネシウム、カオリナイト、ベントナイト、イライト、ゼオライト、リン酸カルシウム、ヒドロキシアパタイト、フィロシリケート、およびこれらの任意の組み合わせからなる群から選択されてよい。固体基質は、粉末または粉末を含むスラリーの形で供給されてもよい。固体基質は、反応混合物中に、０．５重量％を超える、１重量％を超える、３重量％を超える、５重量％を超える、１０重量％を超える、２５重量％を超える、または３０重量％を超える濃度で存在してよい。固体基質は、反応混合物中に、０．５重量％未満、１重量％未満、３重量％未満、５重量％未満、１０重量％未満、２５重量％未満、または５０重量％未満の濃度で存在してよい。有機および／または無機物質は、有機物質および／または無機物質を、固体基質の表面上に、または固体基質中に吸着することにより固体基質により捕捉されてよい。
【００５７】
種々の実施形態では、反応混合物は、有機物質供給原料（例えば、リグノセルロース系物質）と固体基質を、約１：１、約３：２、約２：１、約３：１、約４：１、約５：１、約６：１、約８：１、約１０：１、約２０：１、または約３０：１の比率で含む。
【００５８】
種々の実施形態では、固体基質は、反応混合物中の固体基質および有機物質供給原料（例えば、リグノセルロース系物質）の全部を合わせた重量の少なくとも１重量％、少なくとも２重量％、少なくとも３重量％、少なくとも４重量％、少なくとも５重量％、少なくとも６重量％、少なくとも７重量％、少なくとも８重量％、少なくとも９重量％、少なくとも１０重量％、少なくとも１５重量％、少なくとも２０重量％、少なくとも３０重量％、少なくとも４０重量％、少なくとも５０重量％、１重量％〜２０重量％、１重量％〜１０重量％、１重量％〜５重量％、５重量％〜１０重量％、５重量％〜１５重量％、５重量％〜２０重量％、２０重量％〜４０重量％、２０重量％〜５０重量％、２０重量％〜３０重量％、３０重量％〜４０重量％、または４０重量％〜５０重量％を構成する。
【００５９】
種々の実施形態では、方法は、除圧および冷却後、生成物混合物から固体基質を分離し、有機物質供給原料を含む第２のスラリーまたは第２の反応混合物中に固体基質をリサイクルすることをさらに含む。
【００６０】
種々の実施形態では、固体基質は、バイオ生成物の蒸留または熱分解により得られる残留物から作製される。
【００６１】
種々の実施形態では、反応混合物は、油性添加物をさらに含む。油性添加物は、処理の前に、供給原料および／または溶媒と混合してよい。反応混合物は、５重量％〜６０重量％、５重量％〜５０重量％、５重量％〜４０重量％、５重量％〜３０重量％、５重量％〜２０重量％、５重量％を超える、１０重量％を超える、１５重量％を超える、２０重量％を超える、３０重量％を超える、２０重量％未満、１５重量％未満、または１０重量％未満の油性添加物を含んでよい。油性添加物は、パラフィン系油、ガス油、原油、合成油、石炭油、バイオオイル、シェール油、ケロゲン油、鉱物油、白色鉱油、芳香油、トール油、蒸留トール油、プラントまたは動物油、油脂ならびにそれらの酸性型およびエステル化型、ならびにこれらの任意の組み合わせからなる群から選択されてよい。
【００６２】
種々の実施形態では、溶媒は、水性溶媒成分および油性溶媒成分を含む混合溶媒であり、２つの成分は、周囲温度で実質的に不混和性または部分混和性である。油性成分は、粗トール油、蒸留トール油またはこれらの組み合わせであってよい。
【００６３】
種々の実施形態では、溶媒は、質量比約１：１、質量比約１：２、質量比約２：１、質量比約３：１、質量比約１：３、質量比約１：４、質量比約４：１、質量比約１：５、質量比約５：１、質量比約１：６、質量比約６：１、質量比約１：７、質量比約７：１、質量比約１：８、質量比約８：１、質量比約１：９、質量比約９：１、質量比約１：１０、または質量比約１０：１の水および油を含む。
【００６４】
種々の実施形態では、方法は、生成物から油を分離すること、および油を、有機物質供給原料を含む第２のスラリーまたは第２の反応混合物中にリサイクルすることをさらに含む。
【００６５】
種々の実施形態では、方法は、生成物から固体基質および油を分離すること、ならびに固体基質および油を、有機物質供給原料を含む第２のスラリーまたは第２の反応混合物中にリサイクルすることをさらに含む。
【００６６】
種々の実施形態では、油性溶媒は、該方法に従って作製されたバイオ生成物からリサイクルされる。
【００６７】
種々の実施形態では、固体基質は、該方法に従って作製されたバイオ生成物からリサイクルされる。
【００６８】
種々の実施形態では、油性溶媒および固体基質は、該方法に従って作製されたバイオ生成物からの混合物中でリサイクルされ、リサイクルされる油およびリサイクルされる基質の混合物は、周囲温度で固体である。
【００６９】
種々の実施形態では、バイオ生成物は、ワックス、アルデヒド、カルボン酸、炭水化物、フェノール、フルフラール、アルコール、ケトン、樹脂、樹脂酸、樹脂酸に構造的に関連する化合物、アルカン、アルケン、脂肪酸、脂肪酸エステル、ステロール、ステロール関連化合物、フランオリゴマー、シクロペンタノン、シクロヘキサノン、アルキルおよびアルコキシシクロペンタノン、アルキルおよびアルコキシシクロヘキサノン、シクロペンテノン、アルキルおよびアルコキシシクロペンテノン、芳香族化合物、ナフタレン、アルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデン、インデン誘導体、およびこれらの任意の組み合わせからなる群より選択される化合物を含む。
【００７０】
種々の実施形態では、バイオ生成物は、少なくとも３０ＭＪ／ｋｇ、少なくとも３２ＭＪ／ｋｇ、少なくとも３５ＭＪ／ｋｇ、または少なくとも３６ＭＪ／ｋｇの総発熱量を有する油性成分を含む。
【００７１】
種々の実施形態では、バイオ生成物は、少なくとも３０ＭＪ／ｋｇ、少なくとも３２ＭＪ／ｋｇ、少なくとも３５ＭＪ／ｋｇ、または少なくとも３６ＭＪ／ｋｇの総発熱量を有する油性成分、および少なくとも２６ＭＪ／ｋｇ、少なくとも２８ＭＪ／ｋｇ、少なくとも３０ＭＪ／ｋｇ、少なくとも３２ＭＪ／ｋｇ、または少なくとも３３ＭＪ／ｋｇの総発熱量を有する基質および油性成分混合物を含む。
【００７２】
第２の態様では、本発明は、第１の態様の方法により得られるバイオ生成物を提供する。
【００７３】
バイオ生成物はバイオオイルであってよい。
【００７４】
本明細書でさらに開示されるのは、統合されたクラフトパルプ工場および熱化学変換システムである。システムは、リグノセルロース系材料を白液で蒸解して、パルプおよび黒液を製造するための蒸解装置を含むクラフトパルプ工場を含む。システムは、熱化学変換サブシステムさらに含み、該サブシステムは、パルプ工場から受け取った蒸解廃液を有機物質供給原料および水と混ぜ合わせて反応混合物を生成する少なくとも１つの混合タンク；混合タンクから受け取った反応混合物を、反応混合物中の全てまたは一部の有機物質の、バイオ生成物ならびに有機および無機化合物の両方を含む水溶液流を含む生成物混合物への変換に好適する反応温度および圧力で処理するための反応器；ならびに反応器から受け取った生成物混合物を除圧するための減圧装置を含む。システムはまたさらに、蒸解廃液をパルプ工場から混合タンクに送る１つまたは複数のコンベヤーを含む。
【００７５】
パルプ工場は、蒸解装置から受け取った希黒液を濃縮して濃黒液および凝縮水を生成する蒸発器を含んでもよい。凝縮水は、有機物富化凝縮水であってよい。有機物富化凝縮水は、メタノール、エタノール、有機および／または還元硫黄種、またはこれらの任意の組み合わせを含んでよい。有機または還元硫黄種には、メチルメルカプタン、硫化水素、ジメチルメルカプタン、ジメチルジスルフィド、またはこれらの組み合わせを含んでよい。
【００７６】
１つまたは複数のコンベヤーは、希液を混合タンクに送るための希液コンベヤー、濃黒液を蒸発器から混合タンクに送るための濃黒液コンベヤー、重黒液を濃縮機から混合タンクに送る重黒液コンベヤー、またはこれらの組み合わせを含んでよい。
【００７７】
一部の黒液は、希黒液の表面に集まったトール油石鹸と一緒に運ばれる場合がある。したがって、システムはまた、希黒液の表面からすくい取られたトール油石鹸を混合タンクに運ぶトール油石鹸コンベヤーを含んでよい。
【００７８】
システムは、パルプ工場の少なくとも１つの水源から混合タンクに水を運ぶ少なくとも１つの水コンベヤーを含んでよい。パルプ工場中の少なくとも１つの水源には、工場水；褐色紙料洗浄由来の希薄濾液；漂白廃水；清浄凝縮水；不浄凝縮水；汚染凝縮水；混合凝縮水；ストリッパー凝縮水；蒸解装置凝縮水；蒸発器凝縮水；これらの任意の組み合わせを含んでよい。
【００７９】
システムは、パルプ工場に付随する少なくとも１つの蒸気源から反応器に蒸気を運ぶ少なくとも１つの蒸気コンベヤーをさらに含んでよい。パルプ工場に付随する少なくとも１つの蒸気源からの蒸気は、少なくとも１つの熱交換器を経由して、反応器または供給原料スラリーに間接的に送られ得る。少なくとも１つの蒸気源は、ホッグフューエルボイラー；回収ボイラー；パッケージボイラー；ブロータンク；タービン；復水タービン；反応器からの熱水混合蒸気；またはこれらの任意の組み合わせであってよい。
【００８０】
熱化学変換サブシステムは、反応生成物をバイオ生成物および分離水に分離するための分離装置を含んでよい。したがって、システムは、分離水をパルプ工場またはパルプ工場に付随する廃水処理システムに送るための少なくとも１つの分離水コンベヤーをさらに含んでよい。少なくとも１つの分離水コンベヤーは、有機物除去用空気または蒸気ストリッパー、有機物除去用蒸留塔、褐色紙料洗浄、漂白プラント、再苛性化装置、廃水処理システム、これらの任意の組み合わせに分離水を送るためのものであってもよい。
【００８１】
システムは、減圧装置からパルプ工場に蒸気を送るための蒸気コンベヤーをさらに含んでよい。
【００８２】
システムは、パルプ工場中の少なくとも１つの有機物質源から混合タンクに有機物質を送り、少なくとも一部の反応混合物を形成するための少なくとも１つの有機物質コンベヤーをさらに含んでよい。少なくとも１つの有機物質源は、希黒液；濃黒液；凝縮水；トール油石鹸；トール油；天然硫酸テレビン油；ノット；スクリーンかす；黒液繊維廃棄物；廃水処理システムからの一次スラッジ；廃水処理プラントからの二次スラッジ；ホッグフューエル；木材チップ；オガクズ；砕木粉；または任意のこれらの組合せであってよい。
【００８３】
混合タンクが黒液、有機物質、凝縮水、またはこれらの任意の組み合わせを、パルプ工場から受け取る速度を検出する１つまたは複数の検出器をさらに含む、請求項１〜１６のいずれか１項に記載のシステム。
【００８４】
システムは、混合タンクでの黒液、有機物質、凝縮水またはこれらの任意の組み合わせの、パルプ工場からの検出した受け取り速度の変化に応じて、有機材料が混合タンクおよび反応器に加えられる速度を調節するための調節器を含んでよい。
【００８５】
システムは、水溶液流を熱化学変換サブシステムからパルプ工場に送るための少なくとも１つの水溶液流コンベヤーを含んでよい。
【００８６】
システムは、灰分をパルプ工場の少なくとも１つの灰分源から混合タンクへ送るための少なくとも１つの灰分コンベヤーを含んでよく、少なくとも１つの灰分源は、ホッグフューエルボイラー灰分、フライアッシュ、またはその両方である。
【００８７】
システムは、バイオ生成物反応器中の固形物堆積を減らすために、緑液清澄器から混合タンクへ滓を運ぶための滓コンベヤーを含んでよい。
【００８８】
システムは、ＮＣＧ中の硫黄の回収または分解のために、減圧装置から、回収ボイラー、石灰キルン、ホッグフューエルボイラー、ＮＣＧ焼却炉、またはこれらの任意の組み合わせに、ＮＣＧを送る非凝縮性ガス（ＮＣＧ）コンベヤーを含んでもよい。
【００８９】
システムは、蒸解および／または漂白用の苛性物および塩素の供給のために、ならびに熱化学変換システム中の水素化処理装置に送ることができる水素を供給するために、塩素アルカリプラントを含んでよい。あるいは、システムは、二酸化塩素のパルプ工場の漂白プラントへの供給、および水素の熱化学変換システムの水素化処理装置への供給のための塩素酸ナトリウムプラントを含んでもよい。あるいは、システムは、熱化学変換システムの水素化処理装置へ水素を供給するための過酸化水素プラントを含んでもよい。あるいは、システムは、これらの任意の組み合わせを含んでもよい。
【００９０】
また同様に、本明細書で開示されるのは、バイオ生成物を製造する方法である。方法は、リグノセルロース系材料を白液で蒸解して、パルプおよび黒液を製造することを含む。方法は、有機物質供給原料および水と混ぜ合わせるために、少なくとも一部の黒液を熱化学変換システムに送ることをさらに含む。方法は、一部の黒液を有機物質供給原料および水と混ぜ合わせて、反応混合物を生成することをさらに含む。方法は、反応混合物中の全てまたは一部の有機物質を、バイオ生成物および水溶液流を含む生成物混合物に変換するのに好適する反応温度および圧力で、反応混合物を処理することを含む。方法は、生成物混合物を除圧することを含んでよい。
【００９１】
当業者なら、添付図面と併せて、次の本発明の具体的実施形態の説明を考察することにより、本発明の他の態様および特徴が明らかとなろう。
図面では、本発明の実施形態が例示される。
【図面の簡単な説明】
【００９２】
【図１】本発明の方法による、ラジアータマツ＋水酸化ナトリウム（丸）から、ならびにホッグフューエルおよび黒液供給原材料（三角形）から生成されたバイオ原油中の酸素含量と、総発熱量（ＧＣＶ）の関係を示す図である。
【図２Ａ】本発明の実施形態による統合されたパルプ工場および熱化学変換システムの概略図である。
【図２Ｂ】図２Ａに示したシステムの熱化学変換サブシステムを示す概略図である。
【発明を実施するための形態】
【００９３】
定義
本出願で使用される場合、単数形（「ａ」、「ａｎ」および「ｔｈｅ」）は、文脈がそうでないことを明確に示さない限り、複数の参照対象を包含する。
【００９４】
本明細書で使用する場合、「含む（ｃｏｍｐｒｉｓｉｎｇ）」という用語は、「含む（ｉｎｃｌｕｄｉｎｇ）」を意味する。したがって、例えば、水を「含む」反応混合物は、溶解した有機物質などの追加の成分を含む凝縮水を含んでよい。
【００９５】
本明細書で使用される場合、「コンベヤー」は、物質を、能動的にまたは受動的に、輸送する、運ぶ、または乗せる任意の構造体を広く意味する。
【００９６】
本明細書で使用される場合、「有機物質」および「有機材料」という用語は、同じ意味を有し、化石化および非化石化材料の両方を含む炭素を含む任意の材料を包含する。有機物質の非限定的例には、バイオマスの再生可能な資源（例えば、リグノセルロース系物質）、ならびに再生不可能であってよい炭化水素含有材料（例えば、褐炭、オイルシェールおよび泥炭）を含む。
【００９７】
本明細書で使用される場合、「バイオ生成物」という用語は、本開示の方法に従って有機物質の処理により得ることができる任意の生成物を包含する。バイオ生成物の非限定的例には、バイオ燃料（例えば、バイオオイル、チャー生成物、ガス状生成物）および化学製品（例えば、プラットフォーム化学製品、有機酸、フラニクス、フルフラール、ヒドロキシメチルフルフラール、レボグルコサン、ソルビトール、シリトール（ｃｙｌｉｔｏｌ）、アラビニトール、ホルムアルデヒド、アセトアルデヒド）が挙げられる。
【００９８】
本明細書で使用される場合、「バイオ燃料」という用語は、本明細書で開示される方法に従って有機物質の処理から誘導されるエネルギー含有材料を意味する。バイオ燃料の非限定的例には、バイオオイル、チャー生成物（例えば、直接噴射式石炭エンジン（ＤＩＣＥ）用の改良型微粉炭噴射（ＰＣＩ）等価生成物および燃料）、およびガス状生成物（メタン、水素、一酸化炭素および／または二酸化炭素を含むガス状生成物）が挙げられる。
【００９９】
本明細書で使用される場合、「バイオオイル」という用語は、本明細書で開示される方法に従って有機物質の処理から得られる複雑な化合物の混合物を意味する。バイオオイルは、限定されないが、アルカン、アルケン、アルデヒド、カルボン酸、炭水化物、フェノール、フルフラール、アルコール、およびケトンの内のいずれか１種または複数などの化合物を含んでよい。バイオオイルは、限定されないが、炭水化物、アルデヒド、カルボン酸、炭水化物、フェノール、フルフラール、アルコールおよびケトン、樹脂および樹脂酸、および樹脂酸に構造的に関連する化合物、アルカンおよびアルケン、脂肪酸および脂肪酸エステル、ステロールおよびステロール関連化合物、フランオリゴマー、シクロペンタノン、およびシクロヘキサノン、アルキルおよびアルコキシシクロペンタノン、およびシクロヘキサノン、シクロペンテノン、アルキルおよびアルコキシシクロペンテノン、ナフタレンならびにアルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデンおよびインデン誘導体を含む芳香族化合物、の内のいずれか１種または複数を含んでよい水溶性水性相；および限定されないが、ワックス、アルデヒド、カルボン酸、炭水化物、フェノール、フルフラール、アルコール、およびケトン、ならびに樹脂および樹脂酸および樹脂酸に構造的に関連する化合物、アルカンおよびアルケン、脂肪酸および脂肪酸エステル、ステロールおよびステロール関連化合物、フランオリゴマー、シクロペンタノン、およびシクロヘキサノン、アルキルおよびアルコキシシクロペンタノン、およびシクロヘキサノン、シクロペンテノン、アルキルおよびアルコキシシクロペンテノン、ナフタレン、ならびにアルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデンおよびインデン誘導体を含む芳香族化合物の内のいずれか１種または複数の化合物を含んでよい非水溶性相、を含む多層を含んでよいが、これらに限定されない。
【０１００】
本明細書で使用される場合、「リグノセルロース系」という用語は、リグニン、セルロース、およびヘミセルロースを含む任意の物質を包含する。
【０１０１】
本明細書で使用される場合、「化石化有機物質」という用語は、水および濃縮炭素を有意水準まで除去するのに十分な期間にわたり、地熱圧および地熱温度にさらされる任意の有機材料を包含する。
【０１０２】
本明細書で使用される場合、「蒸解廃液」という用語は、「黒液」、「緑液」、「白液」、およびこれらの任意の組み合わせを包含することが理解されよう。
【０１０３】
本明細書で使用される場合、「黒液」という用語は、木材からセルロース繊維を遊離させる作用をするパルプ化化学薬品（例えば、ソーダおよび／または硫酸塩のアルカリ溶液）を使ったリグノセルロース系物質（例えば、パルプ材）の紙パルプへの処理から生じたアルカリ性水溶液を意味する。黒液は、溶解した有機物（例えば、リグニン残留物、ヘミセルロース）、無機化学薬品、および水の混合物を含む。黒液は、従来技術を使用して生成パルプから分離でき、必要に応じて水を除去して濃縮してよい。「希黒液」は通常、１２重量％〜２０重量％の固形物であってよい。本明細書に記載の多効蒸発器から得られる「濃黒液」は通常、４６〜５７重量％の固形物であってよい。本明細書に記載の濃縮機から得られる「重黒液」は、６３〜８０重量％の固形物であってよい。黒液の正確な化学的構成は、パルプ化プロセスに供されるリグノセルロース系材料の種類、白液中のパルプ化化学薬品の濃度／構成、などに依存する。非限定的例として示すと、希黒液は、１２％〜２０％の固形物（５０％〜７０％の有機物、２０％〜４０％の無機物）、５〜１０％のＮａＯＨ、１５％〜３０％のＮａ２Ｓ、３０％〜４０％のＮａ２ＣＯ３、５％〜１５％のＮａ２ＳＯ３、８％〜１８％のＮａ２ＳＯ４、および／または１０％〜２０％のＮａ２Ｓ２Ｏ３を含んでよい。４種の代表的クラフトパルプ工場から採取した希黒液の組成を表４２にまとめている。４種の代表的クラフトパルプ工場から採取した重黒液の組成を表４３にまとめている。
【０１０４】
本明細書で使用される場合、「緑液」という用語は、炭酸ナトリウムを含む黒液スメルトの水溶液を意味する。黒液スメルトは、水の蒸発により濃縮された黒液（例えば、６０％を超える固形物含有量）の焼却により生じ得る。正確な物理的な緑液の構成は、緑液の由来する黒液材料の化学的構成およびその固形物含有量の程度、黒液スメルトを作製する焼却プロセスの詳細などの因子に依存するであろう。非限定的例であるが、緑液は、ＮａＯＨ（５％〜１０％）、Ｎａ２Ｓ（１５％〜２５％）、Ｎａ２ＣＯ３（５５％〜６５％）、Ｎａ２ＳＯ３（１％〜６％）、Ｎａ２ＳＯ４（３％〜９％）、およびＮａ２Ｓ２Ｏ３（１％〜６％）を含んでよい。４種の代表的クラフトパルプ工場から採取した未清澄化緑液の組成を表４４にまとめている。４種の代表的クラフトパルプ工場から採取した清澄化緑液の組成を表４５にまとめている。
【０１０５】
本明細書で使用される場合、「白液」という用語は、水酸化ナトリウムおよび硫化ナトリウム、およびその他の硫酸ナトリウム（Ｎａ２ＳＯ４）および炭酸ナトリウム（Ｎａ２ＣＯ３）などのナトリウム塩および少量の亜硫酸塩および塩化物を含むアルカリ性水溶液を意味する。白液は、緑液の石灰（ＣａＯ／Ｃａ（ＯＨ）２）による処理により発生してよい。緑液は、石灰による処理の前に、必要に応じて清澄化して不溶性物質（例えば、カルシウム化合物、未燃焼炭素）を除去してよい。正確な白液の化学的構成は、緑液からの調製に使われる具体的反応条件、および白液が誘導される緑液の性質などの要因に依存する。非限定的例として示すと、白液は、約４８重量％〜５８重量％の水酸化ナトリウム（ＮａＯＨ）、約１５重量％〜２５重量％の硫化ナトリウム（Ｎａ２Ｓ）、約１０重量％〜約２０重量％の炭酸ナトリウム（Ｎａ２ＣＯ３）、約１重量％〜約５重量％の亜硫酸ナトリウム（Ｎａ２ＳＯ３）、約２重量％〜約７重量％の硫酸ナトリウム（Ｎａ２ＳＯ４）、および約１．５重量％〜約４重量％のチオ硫酸ナトリウム（Ｎａ２Ｓ２Ｏ３）を含んでよい。４種の代表的クラフトパルプ工場から採取した白液の組成を表４６にまとめている。
【０１０６】
本明細書で使用される場合、「溶媒」という用語は、水性溶媒または「油性溶媒」を含む。
【０１０７】
本明細書で使用される場合、「水性溶媒」という用語は、溶媒の総重量を基準にして、少なくとも１パーセントの水を含む溶媒を意味する。したがって、「水性溶媒」という用語は、溶媒の総重量を基準にして、１パーセントの水〜１００パーセントの水を含んでよい。「水性溶媒」はまた、その範囲内に「水性アルコール」、「水性エタノール」、および「水性メタノール」を含むことも理解されよう。本明細書で使用される場合、「水性アルコール」という用語は、溶媒の総重量を基準にして、少なくとも１パーセントのアルコールを含む溶媒を意味する。本明細書で使用される場合、「水性エタノール」という用語は、溶媒の総重量を基準にして、少なくとも１パーセントのエタノールを含む溶媒を意味する。本明細書で使用される場合、「水性メタノール」という用語は、溶媒の総重量を基準にして、少なくとも１パーセントのメタノールを含む溶媒を意味する。
【０１０８】
本明細書で使用される場合、「油性溶媒」という用語は、非限定的例として、パラフィン系油、ガス油、原油、合成油、石炭油、バイオオイル、シェール油／ケロゲン油、芳香油（すなわち、単環または多環成分またはこれらの混合物）、トール油、トリグリセリド油、脂肪酸、エーテル抽出物、ヘキサン抽出物、および前に記載のいずれかの成分の任意の混合物が含まれる任意の好適な油を含む溶媒を意味し、油は、総溶媒重量を基準にして、少なくとも溶媒の１パーセントを構成する。
【０１０９】
本明細書で使用される場合、「油性添加物」という用語は、本発明による供給原料、溶媒および／または反応混合物中に含めるのに好適する任意の油性成分を意味し、これらの非限定的例には、パラフィン系油、ガス油、原油、合成油、石炭油、バイオオイル、シェール油／ケロゲン油、芳香油（すなわち、単環または多環成分またはこれらの混合物）、トール油、トリグリセリド油、脂肪酸、エーテル抽出物、ヘキサン抽出物、および前に記載のいずれかの成分の任意の混合物が含まれる。油性添加物は、供給原料、溶媒および／または反応混合物の総重量を基準にして、それが添加される供給原料、溶媒および／または反応混合物の少なくとも１パーセントの部分を構成する。
【０１１０】
本明細書で使用される場合、「超臨界」物質（例えば、超臨界溶媒）は、その臨界温度を超えて加熱され、その臨界圧力を超えて加圧される物質（すなわち、その臨界点を超えた温度および圧力での物質）を意味する。
【０１１１】
本明細書で使用される場合、「亜臨界」物質（例えば、亜臨界溶媒）は、物質の臨界点未満の温度および／または圧力での物質を意味する。したがって、物質は、その臨界点未満の温度およびその臨界点を超える圧力で、その臨界点を超える温度およびその臨界点未満の圧力で、またはその臨界点未満の温度および圧力で「亜臨界」であり得る。
【０１１２】
本明細書で使用される場合、「固体基質」は、本発明の方法により使用される反応温度および圧力で固体または実質的に固体の構成要素である。固体基質は、反応混合物および／または生成物混合物内で反応混合物から不溶化する有機および／または無機物質を捕捉することが可能であってよい。追加でまたは代わりに、固体基質は、反応器中で反応混合物のまたは生成物混合物の流れ特性を変えることができてもよい。
【０１１３】
固体基質は、炭素質および非炭素質材料の両方を包含し、それらの非限定的例には、石炭、無煙炭、メタ無煙炭、アンスラサイト、半無煙炭、瀝青炭、亜瀝青炭、褐炭（すなわち、褐炭（ｂｒｏｗｎ  ｃｏａｌ））、粘結炭、コールタール、コールタール誘導体、石炭チャー、コークス、高温コークス、鋳物用コークス、低および中温コークス、ピッチコークス、石油コークス、コークス炉コークス、粉コークス、ガスコークス、褐炭コークス、半成コークス、木炭、熱分解チャー、水熱チャー、カーボンブラック、黒鉛微粒子、非晶質炭素、カーボンナノチューブ、炭素ナノ繊維、気相成長炭素繊維、フライアッシュ、鉱物、炭酸カルシウム、方解石、ケイ酸塩、シリカ、石英、酸化物、金属酸化物、不溶性または実質的に不溶性の金属塩、鉄鉱石、粘土鉱物、滑石、石膏、炭酸カルシウム、炭酸マグネシウム、炭酸カルシウムマグネシウム、方解石、石灰岩、苦灰石、水酸化カルシウム、水酸化マグネシウム、酸化カルシウム、酸化マグネシウム、炭酸水素カルシウム、炭酸水素マグネシウム、カオリナイト、ベントナイト、イライト、ゼオライト、リン酸カルシウム、ハイドロキシアパタイト、フィロシリケート、およびこれらの任意の組み合わせが挙げられる。
【０１１４】
本明細書で使用される場合、「連続流」という用語は、リグノセルロース系供給原料および溶媒、固体基質、蒸解廃液、および／または油性添加物の内のいずれか１種または複数を含むスラリーが、
（ａ）目標温度および圧力への加熱および加圧、
（ｂ）目標温度（単一または複数）および圧力（単一または複数）で所定の時間（すなわち、「保持時間」）の処理、および
（ｃ）冷却および除圧、に供されるプロセスを意味し、
その間、スラリーは、反応器の所定の表面の長さ（または部分長さ）に沿った連続移動流中に維持される。本明細書で意図されている「連続流」条件は、開始点の加熱および加圧（すなわち、上記の（ａ））および終点の冷却および除圧（すなわち、上記（ｃ））により規定されることは理解されよう。本明細書で意図されている連続流条件は、スラリーが連続移動流中で維持される限りにおいて、スラリーの流速に関し、何ら特段の制限を意味しない。
【０１１５】
本明細書で使用される場合、「反応器（ｒｅａｃｔｏｒ）」、「反応装置」、および「反応器（ｒｅａｃｔｏｒ  ｖｅｓｓｅｌ）」という用語は、同義に使用され、同じ意味を有する。それぞれの用語は、本発明の方法を実施するのに好適な任意の装置、例えば、連続流通反応器および回分反応器を包含する。
【０１１６】
本明細書で使用される場合、「実質的に固体」基質という用語は、指定した反応温度および／または圧力で、少なくとも５０％、少なくとも６０％、少なくとも７０％、少なくとも８０％、少なくとも９０％、好ましくは少なくとも９５％、およびより好ましくは少なくとも９８％の基質が固形であるという点で大部分が固体である基質を意味する。
【０１１７】
本明細書で使用される場合、「実質的に不溶性」物質という用語は、指定した反応温度および／または圧力で、少なくとも９０％、好ましくは少なくとも９５％、およびより好ましくは少なくとも９８％の基質が可溶化されないという点で大部分が不溶性である物質である。
【０１１８】
本明細書で使用される場合、「不活性な」または「化学的に不活性な」固体基質は、指定した反応温度および圧力または一連の反応温度および圧力下で、反応混合物中の他の成分と化学反応しないまたは反応混合物中の成分間の反応を触媒しない基質である。
【０１１９】
本明細書で使用される場合、「実質的に不活性な」または「実質的に化学的に不活性な」固体基質は、指定した反応温度および圧力または一連の反応温度および圧力下で、反応混合物中の他の成分と大きくは化学反応しないまたは反応混合物中の成分間の反応を大きくは触媒しない基質である。「実質的に不活性な」または「実質的に化学的に不活性な」固体基質は、５％未満、４％未満、３％未満、２％未満、または１％未満の構成成分（単一または複数）との相互作用イベントに基づいて、所定の反応混合物中の任意のその他の構成要素と反応する、または反応混合物中の任意の所定の成分間の反応を触媒することが理解されよう。「約（ａｂｏｕｔ）」という用語の使用は、記載数値（例えば、温度または圧力）が、記載数値（単一または複数）プラスまたはマイナス記載値の１０％を含むことが理解されよう。
【０１２０】
本明細書における、「間（ｂｅｔｗｅｅｎ）」という用語の使用は、数値の範囲に言及する場合、範囲の各終点の数値を包含することが理解されよう。例えば、１０℃と１５℃との間の温度範囲は、１０℃の温度および１５℃の温度を含む。
【０１２１】
詳細な説明
黒液は、リグノセルロース系物質（例えば、パルプ材）がパルプ化化学薬品を使って熱と圧力下で溶解されるクラフトパルプ化プロセスの廃棄物である。このような木材の処理は、パルプ、および反応したパルプ化化学薬品／無機成分、および酢酸、ギ酸、カルボン酸、糖類、キシラン、および／またはメタノールを含む溶解した木材物質の多様な混合物である黒液を含む、混合物を生成する。黒液およびその誘導体の複雑な化学的構成にもかかわらず、本発明者らは、それが、リグノセルロース系物質のバイオオイルおよび関連バイオ生成物への熱化学処理に使われる従来の触媒に代わる好適な代替品であることを明らかにした。さらに、黒液は、熱化学プロセスを介してバイオ生成物に変換できる相当量のセルロース繊維を含む。したがって、本開示は、有機物質供給原料からバイオ生成物を製造する熱化学プロセスの費用対効果を高める手段を提供する。
【０１２２】
本開示は、蒸解廃液の存在下、有機物質供給原料を種々の溶媒を使って、高い温度と圧力で処理することにより、バイオ生成物を製造する方法に関する。本開示はさらに、本明細書記載の方法により生成したバイオ生成物に関する。
【０１２３】
本開示は、有機物質供給原料をバイオ生成物（例えば、バイオオイルを含むバイオ燃料；化学製品、など）に変換する方法を提供する。
【０１２４】
本明細書で開示される方法に使用される有機物質供給原料の特定の種類に関する制限はないが、化石化型の有機物質に比べて、非化石化型の有機物質（例えば、リグノセルロース系物質）の変換における、本発明の方法による固体基質の使用がより有益であることが意図されている。好ましい実施態様では、本発明の方法で用いられる有機物質は、リグノセルロース系物質であるか、またはそれを含む。本明細書で意図されるリグノセルロース系物質は、リグニン、セルロース、およびヘミセルロースを含む任意の物質を意味する。
【０１２５】
本明細書に記載される方法で使用される有機材料は、上記で提供した具体例の任意の組み合わせを含む、２種以上の異なる種類のリグノセルロース系物質の混合物を含んでよい。所与の試料中のリグニン、ヘミセルロースおよびセルロースの相対的比率は、リグノセルロース系物質の具体的な性質に依存するであろう。
【０１２６】
例示のみの目的であるが、本発明の方法で使用される木質または繊維質植物中のヘミセルロースの比率は、約１５％〜約４０％であってよく、セルロースの比率は、約３０％〜約６０％であってよく、リグニンの比率は、約５％〜約４０％であってよい。好ましくは、木質または繊維質植物中のヘミセルロースの比率は、約２３％〜約３２％であってよく、セルロースの比率は、約３８％〜約５０％であってよく、リグニンの比率は、約１５％〜約２５％であってよい。
【０１２７】
いくつかの実施形態では、本発明の方法で使用されるリグノセルロース系物質は、約２％〜約３５％のリグニン、約１５％〜約４５％のセルロース、および約１０％〜約３５％のヘミセルロースを含んでよい。
【０１２８】
他の実施形態では、本発明の方法で使用されるリグノセルロース系物質は、約２０％〜約３５％のリグニン、約２０％〜約４５％のセルロース、および約２０％〜約３５％のヘミセルロースを含んでよい。
【０１２９】
いくつかの実施形態では、リグノセルロース系物質は、約５％、１０％、１５％、２０％、２５％、３０％、３５％、４０％、４５％、または５０％を超えるリグニンを含んでよい。
【０１３０】
いくつかの実施形態では、リグノセルロース系物質は、約５％、１０％、１５％、２０％、２５％、３０％、３５％、４０％、４５％、または５０％を超えるセルロースを含んでよい。
【０１３１】
いくつかの実施形態では、リグノセルロース系物質は、約５％、１０％、１５％、２０％、２５％、３０％、３５％、４０％、４５％、または５０％を超えるヘミセルロースを含んでよい。
【０１３２】
当業者なら、本明細書記載の方法は、所与のリグノセルロース系物質原材料中のリグニン、ヘミセルロースおよびセルロースの相対的比率により制限されないことを理解するであろう。
【０１３３】
本発明の特定の実施形態では、褐炭（ｂｒｏｗｎ  ｃｏａｌ）およびリグノセルロース系物質を含む有機材料の混合物を本発明の方法の有機物質供給原料として使用してよい。混合物のリグノセルロース系物質は、例えば、木質植物材料および／または繊維質植物材料を含んでよい。混合物中の褐炭の比率は、約２０％、４０％、６０％、または８０％より大きくてよい。あるいは、混合物中のリグノセルロース系物質の比率は、約２０％、４０％、６０％、または８０％より大きくてよい。
【０１３４】
好ましい実施態様では、本発明の方法で用いられる有機物質は、炭素含有ポリマー材料を含み、この材料の非限定的例には、ゴム（例えば、タイヤ）、プラスチックおよびポリアミド（例えば、ナイロン）が挙げられる。
【０１３５】
好適なゴムの非限定的例には、ポリウレタン、スチレンゴム、ネオプレン、ポリブタジエン、フッ素ゴム、ブチルゴム、シリコーンゴム、栽培ゴム、アクリレートゴム、チオコール、およびニトリルゴムなどの天然および合成ゴムが挙げられる。
【０１３６】
好適なプラスチックの非限定的例には、ＰＶＣ、ポリエチレン、ポリスチレン、  テレフタレート、ポリエチレンおよびポリプロピレンが挙げられる。
【０１３７】
本発明の方法で使われる有機物質供給原料には、下水、堆肥、または家庭または産業廃棄物材料などの炭素含有廃棄物を含めてよい。
【０１３８】
有機物質の前処理
本発明の方法で使われる有機物質は、バイオ生成物（単一または複数）に変換する前に、必要に応じて前処理してよい。本明細書記載の方法を使用する場合に、前処理ステップを実施するための厳密な要件は存在しない。例えば、液体または粒子状形態で得られる場合には、有機物質の前処理は必要とされない場合がある。しかし、多くの場合に、有機物質の前処理が、本明細書記載の方法の成果を高める点で有利な場合があることが考えられる。
【０１３９】
一般に、前処理を使って、有機物質の物理的および／または化学的構造を破壊し、本発明の方法で使われる種々の試薬（例えば、油性溶媒、触媒、など）、および／またはその他の反応パラメータ（例えば、熱および圧力）によりアクセスしやすくすることが可能になる。特定の実施形態では、有機物質の前処理は、糖成分（例えば、セルロース）の溶解度を高める、気孔率を高めるおよび／または結晶化度を下げる目的で実施し得る。有機物質の前処理は、例えば、押出成形機、加圧容器、または回分反応器などの装置を使って実施できる。
【０１４０】
有機物質の前処理には、物理的方法が含まれ、この方法の非限定的例には、粉砕、剥離、破砕、ミリング（例えば、振動ボールミリング）、圧縮／膨張、撹拌、および／またはパルス電界（ＰＥＦ）処理が挙げられる。
【０１４１】
追加でまたは代わりに、有機物質の前処理は、物理化学方法を含めてよく、この方法の非限定的例には、熱分解、蒸気爆発、アンモニア繊維爆砕法（ＡＦＥＸ）、アンモニア循環浸出（ＡＲＰ）、および／または二酸化炭素爆発が挙げられる。蒸気爆発を使った前処理は、有機物質の撹拌をさらに含んでよい。
【０１４２】
追加でまたは代わりに、有機物質の前処理は、化学的方法を含んでよく、この方法の非限定的例には、オゾン分解、酸加水分解（例えば、Ｈ２ＳＯ４および／またはＨＣｌを使った希酸加水分解）、アルカリ加水分解（例えば、ナトリウム、カリウム、カルシウムおよび／または水酸化アンモニウムを使った希アルカリ加水分解）酸化的脱リグニン（すなわち、Ｈ２Ｏ２の存在下、酵素ペルオキシダーゼにより触媒されるリグニン生分解）、および／または有機溶媒和法（すなわち、リグニン−ヘミセルロース結合を破断するためにＨ２ＳＯ４および／またはＨＣｌなどの無機酸触媒と共に有機溶媒混合液の使用）が挙げられる。
【０１４３】
追加でまたは代わりに、有機物質の前処理は、生物学的方法を含めてよく、この方法の非限定的例には、有機物質の種々の構成成分（単一または複数）を劣化／分解できる微生物（例えば、褐色腐朽菌）の添加が挙げられる。
【０１４４】
いくつかの実施形態では、本明細書に記載される方法で使用される有機物質は、ヘミセルロースが抽出される任意の前処理ステップに供してよいリグノセルロース系物質である。したがって、大部分のヘミセルロース（または、実際に全てのヘミセルロース）がリグノセルロース系物質から抽出され、残りの材料（大部分のセルロースおよびリグニンを含む）を使用して、本発明の方法によりバイオ燃料を製造し得る。しかし、この前処理は任意であり、本発明の方法を実施する場合に、リグノセルロース系物質からヘミセルロースを分離することが必須要件ではないことは理解されよう。リグノセルロース系物質からヘミセルロースを分離する好適な方法は、例えば、国際公開第２０１０／０３４０５５号に記載されている。この公開の全内容は、参照により本明細書に組み込まれる。
【０１４５】
例えば、ヘミセルロースは、リグノセルロース系物質を含むスラリー（例えば、５％〜１５％ｗ／ｖの固体濃度）を、約１００℃〜約２５０℃の温度、約２〜約５０気圧下、弱酸性水溶液（例えば、ｐＨ６．５〜６．９）で約５分〜約２０分間処理することにより、リグノセルロース系物質から抽出してよい。可溶化ヘミセルロース成分は、任意の好適な手段（例えば、適切なサイズのフィルターを使用して）を使って残りの固体物質（主にセルロースおよびリグニンを含む）から分離し得る。残りの固体物質は、本発明の方法に直接使用してもよく、あるいは、本発明の方法で使用するために、１種または複数の他の形態の有機物質（例えば、褐炭）と混合してもよい。
【０１４６】
スラリー特性
本発明の方法により使用される有機物質供給原料は、スラリーの形態で処理されるのが好ましい。したがって、反応混合物は、スラリーの形態であってよい。
【０１４７】
スラリーは、溶媒（例えば、水性溶媒、水性アルコール溶媒、水性のエタノール溶媒、水性メタノール溶媒）と組み合わせて、必要に応じて蒸解廃液、固体基質、触媒添加物、および／または油性添加物と組み合わせて、有機物質を含んでよい。例えば、スラリーは、粒子状の有機物質を生成して（例えば、上記で言及したものなどの物理的方法によって、および／またはその他の手段によって）、溶媒と混合することにより生成してもよい。
【０１４８】
スラリー中の溶媒、供給原料、油性添加物および／または固体基質の相対的比率に関して、特段の制限は存在しない。これらの種々の成分の可能な量の非限定的例は、以下のセクションで記載される。
【０１４９】
有機物質供給原料成分
本明細書記載の方法で使用されるスラリーは通常、有機物質供給原料を含む。
【０１５０】
本発明の特定の実施形態では、スラリー中の有機物質の濃度は、約８５重量％未満、約７５重量％未満、または約５０重量％未満であってよい。あるいは、有機物質の濃度は、約１０重量％超、約２０重量％超、約３０重量％超、約４０重量％超、約５０重量％超、または約６０重量％超であってよい。
【０１５１】
いくつかの実施形態では、スラリーは、油性添加物の約３５重量％〜約４５重量％を含んでよい。いくつかの実施形態では、スラリーは、約４０重量％の油または３９．５重量％の油性添加物を含んでよい。
【０１５２】
有機物質供給原料の固体成分の最適粒径およびスラリー中のそれらの固形物の最適濃度は、例えば、使われる有機物質の熱伝達能力（すなわち、熱が個々の粒子中に、および個々の粒子を通って伝達され得る速度）、所望のスラリーの流動学的性質および／または本発明の方法を実施することができる所与の装置の構成要素（単一または複数）（例えば、反応器配管）とスラリーの適合性などの要因に依存し得る。本発明の方法で使われるスラリー中の有機物質成分中の固体成分の最適粒径および／または濃度は、標準的な技術を使って当業者により容易に決定できる。例えば、一連のスラリーを生成することが可能で、その系列中のそれぞれの試料は、その他の試料に比べて、異なる粒径および／または異なる濃度の固体有機物質成分を含んでよい。その後、それぞれのスラリーは、保存された一連の反応条件下で本発明の方法に従って処理することができる。その後、固体有機物質成分の最適粒径および／または濃度は、当該技術分野の標準的な技術を使って、それぞれのスラリーから生成された生成物の分析および比較により、決定できる。
【０１５３】
本発明の特定の実施形態では、スラリー中の固体有機物質成分の粒径は、約１０ミクロン〜約１０，０００ミクロンであってよい。例えば、粒径は、約５０、１００、５００、７５０、１０００、２０００、３０００、４０００、５０００、６０００、７０００、８０００または９０００ミクロン超であってよい。あるいは、粒径は、約５０、１００、５００、７５０、１０００、２０００、３０００、４０００、５０００、６０００、７０００、８０００または９０００ミクロン未満であってよい。いくつかの実施形態では、粒径は、約１０ミクロン〜約５０ミクロン、約１０ミクロン〜約１００ミクロン、約１０ミクロン〜約２００ミクロン、約１０ミクロン〜約５００ミクロン、約１０ミクロン〜約７５０ミクロン、または約１０ミクロン〜約１０００ミクロンである。他の実施形態では、粒径は、約１００ミクロン〜約１０００ミクロン、約１００ミクロン〜約７５０ミクロン、約１００ミクロン〜約５００ミクロン、または約１００ミクロン〜約２５０ミクロンである。
【０１５４】
蒸解廃液成分
本発明の方法により使用されるスラリーは通常、蒸解廃液成分を含む。蒸解廃液は、スラリーを目標反応条件に加熱および／または加圧する前に、スラリー中に加えてよい。追加でまたは代わりに、蒸解廃液をスラリー中に加えると同時に、スラリーを目標反応条件に加熱および／または加圧してよい。追加でまたは代わりに、蒸解廃液は、スラリーを目標反応条件に加熱および／または加圧した後で、スラリー中に加えてよい。
【０１５５】
いくつかの実施形態では、スラリーは蒸解廃液（黒液、緑液、白液、またはこれらの任意の組み合わせ）を含んでよい。
【０１５６】
例えば、スラリーは、約１重量％〜約１００重量％、約９０重量％〜約１００重量％、約９５重量％〜約１００重量％、約５０重量％〜約１００重量％、約５０重量％〜約９０重量％、約５０重量％〜約９５重量％、約５０重量％〜約９５重量％、約５０重量％〜約８０重量％、約５０重量％〜約７０重量％、約５０重量％〜約６０重量％、約３０重量％〜約９０重量％、約４０重量％〜約９０重量％、または約２０重量％〜約７５重量％の蒸解廃液を含んでよい。
【０１５７】
例えば、スラリーは、約６０重量％〜約１００重量％の蒸解廃液、約５重量％〜約６０重量％、約１重量％〜約５０重量％、約１重量％〜約４０重量％、約１重量％〜約３０重量％、約１重量％〜約２０重量％、約１重量％〜約１５重量％、約１重量％〜約１０重量％、約１重量％〜約５重量％、約２重量％〜約２０重量％、約２重量％〜約１０重量％、約３％〜約２０重量％、約３重量％〜約１０重量％、約０．５重量％〜約５重量％、約２重量％〜約８重量％、約３重量％〜約５重量％、または約５重量％〜約１５重量％の蒸解廃液を含んでよい。
【０１５８】
いくつかの実施形態では、蒸解廃液（黒液、緑液、白液、またはこれらの任意の組み合わせ）は、溶媒に対して、約０．１％〜約１０％ｗ／ｖの蒸解廃液、約０．１％〜約７．５％ｗ／ｖの蒸解廃液、約０．１％〜約５％ｗ／ｖの蒸解廃液、約０．１％〜約２．５％ｗ／ｖの蒸解廃液、約０．１％〜約１％ｗ／ｖの蒸解廃液、または約０．１％〜約０．５％ｗ／ｖの蒸解廃液の量で使用してよい。
【０１５９】
溶媒成分
本明細書記載の方法で使用されるスラリーは通常、溶媒成分を含む。溶媒は、水性溶媒、油性溶媒、またはこれらの組み合わせであってよい。
【０１６０】
溶媒は水を含んでいても、または水から構成されていてもよい。
【０１６１】
特定の実施形態では、スラリー中の水の濃度は、約８０重量％超、約８５重量％超、または約９０重量％超であってよい。したがって、水の濃度は、約７５重量％超、約７０重量％超、約６０重量％超、約５０重量％超、約４０重量％超、または約３０重量％超であってよい。いくつかの実施形態では、水の濃度は、約９０重量％〜約９５重量％である。
【０１６２】
いくつかの実施形態では、スラリーは、約１０重量％〜約３０重量％の水を含む。他の好ましい実施形態では、スラリーは、約２０重量％の油または約１５重量％の水を含む。
【０１６３】
いくつかの実施形態では、水はプロセスの生成物からリサイクルされる。例えば、反応の完了後に存在する部分水を、側流として取り出し、スラリー中へリサイクルしてよい。
【０１６４】
溶媒は１種または複数の水性アルコールを含んでいても、または１種または複数の水性アルコールから構成されていてもよい。例えば、本方法で使用されるリグノセルロース系供給原料が相当量のリグノセルロース系材料および／またはゴムおよびプラスチックなどのその他の材料から構成されるまたはこれらを含む場合、これらのタイプのリグノセルロース系供給原料のより強力な化学結合に起因して、水性アルコールを溶媒として使用するのが好適するまたは好ましいことがある。好適なアルコールは、１〜約１０個の炭素原子を含んでよい。好適なアルコールの非限定的例には、メタノール、エタノール、イソプロピルアルコール、イソブチルアルコール、ペンチルアルコール、ヘキサノールおよびイソヘキサノールが挙げられる。
【０１６５】
スラリーは、約５重量％、１０重量％、１５重量％、２０重量％、２５重量％、３０重量％、３５重量％、４０重量％、４５重量％または５０重量％を超えるアルコール水性アルコールを含んでよい。
【０１６６】
特定の実施形態では、溶媒は、２種以上の水性アルコールの混合物を含む。アルコールは、エタノール、メタノールまたはこれらの混合物であるのが好ましい。
【０１６７】
固体基質成分
本明細書記載の方法で使用されるスラリーは、本明細書に記載の固体基質成分を含んでよい。
【０１６８】
固体基質の好ましい特性には、次記のいずれか１種または複数を含めてよい：使用反応温度および圧力で不活性または実質的に不活性のままであるもの；プロセスの完了時に不変または実質的に不変のままであるもの；使用反応温度および圧力で固体としてまたは実質的に固体として残るもの；反応器（例えば、連続流反応器）中で実質的摩耗または摩耗腐食を生じさせないように、低い硬度または中程度の硬度であるもの；変換プロセス中に大量のバイオ生成物および／またはその他の沈殿物を吸着および／または吸収できるように、高い内または外比表面積を有するもの。
【０１６９】
固体基質は、炭素質材料であってよい。非限定的例のみの目的で示すと、固体基質は、少なくとも５０重量％、少なくとも６０重量％、少なくとも７０重量％、少なくとも８０重量％、少なくとも９０重量％、または少なくとも９５重量％の炭素を含む炭素質材料であってよい。
【０１７０】
固体基質としての使用に好適する炭素質材料の非限定的例には、石炭（例えば、メタ無煙炭、アンスラサイトおよび半無煙炭などの無煙炭；瀝青炭、亜瀝青炭、褐炭（すなわち、褐炭（ｂｒｏｗｎ  ｃｏａｌ））、粘結炭、コールタール、コールタール誘導体、石炭チャー）；コークス（例えば、高温コークス、鋳物用コークス、低および中温コークス、ピッチコークス、石油コークス、コークス炉コークス、粉コークス、ガスコークス、褐炭コークス、半成コークス）；木炭；熱分解チャー；水熱チャー；カーボンブラック；黒鉛微粒子；非晶質カーボン；カーボンナノチューブ；炭素ナノ繊維；気相成長炭素繊維；およびこれらの任意の組み合わせが挙げられる。
【０１７１】
本明細書で記載のいくつかの好ましい実施態様では、固体基質は、本発明による有機物質の前の処理から作製され、続けて、実質的に酸素非存在下での熱処理により揮発性材料が除去された（例えば、２００℃〜８００℃の範囲の温度での熱分解または減圧蒸溜により）炭素に富む木炭であってよい。
【０１７２】
固体基質は、非炭素質材料であってもよい。非限定的例のみの目的で示すと、固体基質は、２０重量％未満、１０重量％未満、５重量％未満、３重量％未満、２重量％未満、または１重量％未満の炭素を含むか、または炭素を含まない非炭素質材料であってよい。
【０１７３】
固体基質としての使用に好適する非炭素質材料の非限定的例には、灰分（例えば、フライアッシュ）；鉱物（例えば、炭酸カルシウム、方解石、ケイ酸塩、シリカ、石英；鉄鉱石、粘土鉱物、滑石、石膏などの酸化物）；不溶性のまたは実質的に不溶性の金属塩、およびこれらの任意の組み合わせが挙げられる。
【０１７４】
固体基質としての使用に好適する材料のさらなる非限定的例には、炭酸カルシウム、炭酸マグネシウム、炭酸カルシウムマグネシウム、方解石、石灰岩、苦灰石、水酸化カルシウム、水酸化マグネシウム、酸化カルシウム、酸化マグネシウム、炭酸水素カルシウム、炭酸水素マグネシウム、カオリナイト、ベントナイト、イライト、ゼオライト、リン酸カルシウム、ヒドロキシアパタイト、フィロシリケート、およびこれらの任意の組み合わせが挙げられる。
【０１７５】
本発明の特定の実施形態では、スラリー中の固体基質の濃度は、約２０重量％未満、約１５重量％未満、または約１０重量％未満であってよい。あるいは、固体基質の濃度は、約０．５重量％超、約１重量％超、約３重量％超、約５重量％超、約５０８重量％超、または約１０重量％超であってよい。
【０１７６】
固体基質の最適粒径および最適濃度は、例えば、使われる有機物質の熱伝達能力（すなわち、熱が個々の粒子中に、および個々の粒子を通って伝達され得る速度）、所望のスラリーの流動学的性質および／または本発明の方法を実施することができる所与の装置の構成要素（単一または複数）（例えば、反応器配管）とスラリーの適合性などの要因に依存し得る。本発明の方法で使われるスラリー中の固体基質成分の最適粒径および／または濃度は、標準的な技術を使って当業者により容易に決定できる。例えば、一連のスラリーを生成することが可能で、その系列中のそれぞれの試料は、その他の試料に比べて、異なるサイズおよび／または異なる濃度の特定の固体基質を含んでよい。その後、それぞれのスラリーは、保存された一連の反応条件下で本発明の方法に従って処理することができる。次に、最適固体基質サイズおよび／または濃度を、当該技術分野の標準的な技術を使って、それぞれのスラリーから生成された生成物の分析および比較に基づいて決定できる。
【０１７７】
本発明の特定の実施形態では、スラリー中の固体基質成分のサイズは、約１０ミクロン〜約１０，０００ミクロンであってよい。例えば、サイズは、約５０、１００、５００、７５０、１０００、２０００、３０００、４０００、５０００、６０００、７０００、８０００または９０００ミクロン超であってよい。あるいは、サイズは、約５０、１００、５００、７５０、１０００、２０００、３０００、４０００、５０００、６０００、７０００、８０００または９０００ミクロン未満であってよい。いくつかの実施形態では、サイズは、約１０ミクロン〜約５０ミクロン、約１０ミクロン〜約１００ミクロン、約１０ミクロン〜約２００ミクロン、約１０ミクロン〜約５００ミクロン、約１０ミクロン〜約７５０ミクロン、または約１０ミクロン〜約１０００ミクロンである。他の実施形態では、サイズは、約１００ミクロン〜約１０００ミクロン、約１００ミクロン〜約７５０ミクロン、約１００ミクロン〜約５００ミクロン、または約１００ミクロン〜約２５０ミクロンである。
【０１７８】
本発明のいくつかの実施形態では、スラリーの有機物質成分および／またはスラリーの固体基質成分の粒度分布および粒子表面電荷特性は、例えば、混合時に、所与の固形物含有量に対し最小粘度を得るための望ましいスラリー特性を与えるように最適化されてよい。使用される所与のスラリー中の固体成分の最適粒径および／または粒子表面電荷は、標準的な技術を使って当業者により容易に決定できる。例えば、一連のスラリーを生成することが可能で、その系列中のそれぞれの試料は、その他の試料に比べて、異なる粒径および／または異なる濃度の固体成分を含んでよい。その後、それぞれのスラリーは、保存された一連の反応条件下で本発明の方法に従って処理することができる。その後、固体有機物質成分の最適粒径および／または粒子表面電荷は、当該技術分野の標準的な技術を使って、それぞれのスラリーから生成された生成物の分析および比較に基づいて決定できる。
【０１７９】
触媒
本発明は、本明細書記載の方法を使った有機物質のバイオ生成物への変換用に適した触媒源として、蒸解廃液の使用を意図しているが、所望であれば、固有の触媒および／または追加の触媒を用いてもよい。
【０１８０】
「固有の触媒」は、例えば、有機物質供給原料、水性溶媒、および／または反応器装置の容器壁のいずれか１つまたは複数などの所定の反応構成成分中に生来存在する触媒、または、処理プロセス中にインサイツで形成される触媒である。
【０１８１】
本明細書で使用される場合、「追加の触媒」は、供給原料スラリー中に含まれる蒸解廃液中に存在する触媒化合物を補うための、および本発明の方法に従って処理される有機物質供給原料中に固有に存在する触媒化合物、本発明の方法に従って使用されるいずれかの溶媒中に固有に存在する触媒化合物、本発明の方法を実施するために使用される固体基質中に固有に存在する触媒化合物および／または本発明の方法を実施するために使用される反応器装置の壁に固有に存在する触媒化合物を補うための、供給原料スラリーおよび／または反応混合物中に組み込まれる触媒である。
【０１８２】
追加の触媒添加物（単一または複数）（すなわち、固有の触媒中のものを超える）の使用は、特定の状況では有利な場合があるが、当業者なら、本発明の方法はそれらを使わなくても実施可能であることを理解するであろう。
【０１８３】
本明細書で意図された触媒添加物は、本発明の方法を使って、有機物質（例えば、リグノセルロース系供給原料および／または褐炭などの石炭）からのバイオ燃料の形成を高める任意の触媒であってよい。この触媒添加物の非限定的例には、塩基触媒、酸触媒、アルカリ金属水酸化物触媒、遷移金属水酸化物触媒、アルカリ金属ホルメート触媒、遷移金属ホルメート触媒、反応性カルボン酸触媒、遷移金属触媒、スルフィド触媒、貴金属触媒、水性ガス転化触媒、およびこれらの組み合わせが挙げられる。好適な触媒は、例えば、「Ｍｅｔｈｏｄｓ  ｆｏｒ  ｂｉｏｆｕｅｌ  ｐｒｏｄｕｃｔｉｏｎ」という名称の米国特許出願公開第２０１２／０３１１６５８Ａ１号に記載されている。この出願公開の全内容は、参照により本明細書に組み込まれる。
【０１８４】
特定の実施形態では、追加の触媒または追加の触媒の組み合わせは、溶媒に対して、約０．１％〜約１０％ｗ／ｖの触媒、約０．１％〜約７．５％ｗ／ｖの触媒、約０．１％〜約５％ｗ／ｖの触媒、約０．１％〜約２．５％ｗ／ｖの触媒、約０．１％〜約１％ｗ／ｖの触媒、または約０．１％〜約０．５％ｗ／ｖの触媒の量で使用してよい。
【０１８５】
下表１は、本発明の方法で用いてよい代表的な種々の追加の触媒およびそれらが触媒し得る対応する反応をまとめたものである。
【表１−１】
0006773658.tif 000002
【表１−２】
0006773658.tif 000003
【０１８６】
本発明の方法で使用するための追加の触媒は、当該技術分野において既知の化学的方法を使って作製および／または市販品入手源から購入してよい。
【０１８７】
本発明の方法を実施する際の、追加の触媒を適用してよいタイミングに関して、特段の制限は存在しない。例えば、触媒添加物（単一または複数）は、目標反応温度および圧力に加熱／加圧する前に、目標反応温度および圧力に加熱／加圧中に、および／または反応温度および圧力に到達後に、有機物質、溶媒、蒸解廃液、固体基質、油性添加物、または１種または複数のこれらの成分の混合物（例えば、スラリー）に加えてよい。追加の触媒が適用されるタイミングは、使用される供給原料の反応性に依存し得る。例えば、高い反応性の供給原料は、目標反応温度および圧力の近くまたはその温度および圧力で追加の触媒を適用することにより恩恵を受けることがあり、一方、反応性の低い供給原料は、追加の触媒を適用するためのより広いプロセスウィンドウを有し得る（すなわち、触媒は、目標反応温度および圧力への到達前に添加してよい）。
【０１８８】
追加の触媒は、反応混合物を加熱および／または加圧する前に、反応混合物の加熱および／または加圧中に、および／または反応混合物が所望の反応温度および／または反応圧力に到達後に、本発明による処理に使用される反応混合物に加えてよい。
【０１８９】
油性成分
いくつかの好ましい本明細書で記載の実施形態では、スラリー、反応混合物、またはその両方は、油性添加物と混合した有機物質を含む。油性添加物は、反応において油性溶媒として機能し得る。油は任意の好適な油であってよく、この油の非限定的例には、パラフィン系油、ガス油、原油、合成油、石炭油、バイオオイル、シェール油／ケロゲン油、芳香油（すなわち、単環または多環成分またはこれらの混合物）、トール油、トリグリセリド油、脂肪酸、エーテル抽出物、ヘキサン抽出物、および前に記載のいずれかの成分の任意の混合物が挙げられる。油は、目標反応温度および／または圧力に到達前の、いずれの時点にスラリー混合物中に組み込まれてもよい。例えば、油は、スラリー混合タンク中でスラリーに添加してよい。追加でまたは代わりに、油は、反応器への途中でスラリーに、および／またはスラリーの加熱／加圧中に添加してもよい。
【０１９０】
特に好ましい実施形態では、油は、プロセスからリサイクルされたバイオオイル生成物である。例えば、生成されたバイオオイルの一部を側流として取り出し、スラリー、反応混合物、またはその両方へリサイクルしてよい。
【０１９１】
いくつかの好ましい実施形態では、バイオオイルは、固体基質と組み合わせてリサイクルされ、それぞれがバイオ生成物の成分となる。例えば、固体基質と混合した生成されたバイオオイルの一部を、側流として取り出し、スラリー、反応混合物、またはその両方へリサイクルしてよい。
【０１９２】
本発明の方法により処理された有機物質を含むスラリー中の油性添加物の比率に関して、特段の制限は存在しない。例えば、スラリーは、約２重量％超の油、約５重量％超の油、約１０重量％超の油、または約２０、３０、４０、５０、６０または７０重量％超の油を含んでよい。あるいは、スラリーは、約９８重量％未満の油、約９５重量％未満の油、約９０重量％未満の油、または約８０、７０、６０、５０、４０または３０重量％未満の油を含んでよい。
【０１９３】
いくつかの好ましい実施形態では、スラリーは、約１０重量％〜約３０重量％の有機物質、約２重量％〜約１５重量％の固体基質、および約５０重量％〜約９０重量％の溶媒を含み、溶媒は油および水性相の任意の比率の混合物である。
【０１９４】
いくつかの実施形態では、スラリーは、約４０重量％〜約５０重量％の油を含む。他の好ましい実施形態では、スラリーは、約４５重量％の油を含む。
【０１９５】
他の好ましい実施形態では、スラリーは、０．５〜１．２：１の比率の供給原料／油を含む。油は、パラフィン系油であってよい。
【０１９６】
反応条件
本発明の方法では、有機物質供給原料（例えば、リグノセルロース系物質および／または褐炭などの石炭）は、本明細書に記載の蒸解廃液の存在下で、および必要に応じて油性添加物、固体基質、および／または添加触媒の存在下で、高められた温度および圧力の条件下、溶媒で処理して、バイオ生成物を生成してよい。
【０１９７】
本発明の方法を実施する際に使われる温度および圧力の具体的条件は、例えば、使用溶媒の種類、処理している有機物質供給原料の種類、処理している有機物質供給原料の物理的形態、反応混合物中の成分の相対的比率（例えば、溶媒、蒸解廃液、有機物質供給原料、および必要に応じて添加物油、触媒添加物、および／または任意の他の追加の成分（単一または複数））、使用される添加触媒（単一または複数）の種類（存在する場合）、保持時間、および／またはこの方法を実施する装置の種類を含む多くの異なる要因に依存し得る。これらおよびその他の要因は、所定の一連の状態を最適化するために、収率を最大化し、および／または処理時間を減らすように変更してよい。好ましい実施態様では、全てまたはほぼ全ての供給原料として使用される有機材料は、バイオ生成物（単一または複数）に変換される。
【０１９８】
所望の反応条件は、例えば、高められた温度および高められた圧力を維持できる好適な装置（例えば、亜臨界／超臨界反応器装置）中で実施することにより実現し得る。
【０１９９】
温度および圧力
本発明の方法では、反応混合物は目標温度および圧力で一定の時間（「保持時間」）供給され、処理され、有機物質供給原料（例えば、リグノセルロース系物質および／または褐炭などの石炭）のバイオ生成物（単一または複数）への変換を容易にする。本発明の方法を使って、有機供給原料のバイオ燃料への変換を促進するのに必要な温度および／または圧力は、処理している有機物質の種類および反応中の成分の相対比率（例えば、溶媒、蒸解廃液、有機物質供給原料、および必要に応じて添加油、触媒添加物、および／またはその他の任意の追加の成分（単一または複数））、使われる蒸解廃液の種類および量、保持時間、および／またはこの方法が実施される装置の種類を含む多くの要因に依存するであろう。本明細書で提供される本発明の記述に基づいて、当業者なら、所与の反応混合物に対する適切な反応温度および圧力を容易に決定できるであろう。例えば、所与の供給原料スラリーに対する最適反応温度および／または圧力は、使用される温度および／または圧力のみが異なる一連の反応を準備し、実行し、生成された目標バイオ生成物（単一または複数）の収率および／または品質を分析することにより、当業者により容易に決定され得る。反応混合物中の相対的成分の比率を変えることができ、同じ試験を同じまたは異なる温度および／または圧力で再度行うことができる。
【０２００】
また、当業者なら、使用圧力がスラリー成分およびスラリーにより誘導される圧力低下の関数であり、いずれかの特定の反応器設計（例えば、管直径および／または長さ、など）に強く依存することを理解するであろう。
【０２０１】
特定の実施形態では、本発明の方法を使った有機物質供給原料のバイオ生成物を生成する処理は、約１５０℃〜約５５０℃の温度および約１０バール〜約４００バールの圧力で実施してよい。反応混合物は、約１５０℃〜約５００℃の温度（単一または複数）および約８０バール〜約３５０バールの圧力（単一または複数）で維持されるのが好ましい。反応混合物は、約１８０℃〜約４００℃の温度（単一または複数）および約１００バール〜約３３０バールの圧力（単一または複数）で維持されるのがより好ましい。反応混合物は、約２００℃〜約３８０℃の温度（単一または複数）および約１２０バール〜約２５０バールの圧力（単一または複数）で維持されるのがさらにより好ましい。
【０２０２】
他の好ましい実施形態では、反応混合物は、約２００℃〜約４００℃の温度（単一または複数）および約１００バール〜約３００バールの圧力（単一または複数）で維持される。
【０２０３】
他の好ましい実施形態では、反応混合物は、約２５０℃〜約３８０℃の温度（単一または複数）および約５０バール〜約３００バールの圧力（単一または複数）で維持される。
【０２０４】
他の好ましい実施形態では、反応混合物は、約３２０℃〜約３６０℃の温度（単一または複数）および約１５０バール〜約２５０バールの圧力（単一または複数）で維持される。他の好ましい実施形態では、反応混合物は、約３３０℃〜約３５０℃の温度（単一または複数）および約２３０バール〜約２５０バールの圧力（単一または複数）で維持される。他の好ましい実施形態では、反応混合物は、約３４０℃の温度および約２４０バールの圧力で維持される。
【０２０５】
他の好ましい実施形態では、反応混合物は、約３２０℃〜約３６０℃の温度（単一または複数）および約２２０バール〜約２５０バールの圧力（単一または複数）で維持される。
【０２０６】
特定の実施形態では、反応混合物は、約１８０℃を超える温度（単一または複数）および約１５０バールを超える圧力（単一または複数）で維持される。他の実施形態では、反応混合物は、約２００℃を超える温度（単一または複数）および約１８０バールを超える圧力（単一または複数）で維持される。さらなる実施形態では、反応混合物は、約２５０℃を超える温度（単一または複数）および約２００バールを超える圧力（単一または複数）で維持される。他の実施形態では、反応混合物は、約３００℃を超える温度（単一または複数）および約２５０バールを超える圧力（単一または複数）で維持される。他の実施形態では、反応混合物は、約３５０℃を超える温度（単一または複数）および約３００バールを超える圧力（単一または複数）で維持される。
【０２０７】
特定の実施形態では、本発明の方法で使用される溶媒は、その臨界温度を超えておよび／またはその臨界圧力を超えて（すなわち、溶媒の「臨界点」を超えて）加熱または加圧され得ることは理解されよう。したがって、溶媒の「臨界点」を超えて加熱または加圧される場合、溶媒は、「超臨界」溶媒となり得る。
【０２０８】
特定の実施形態では、本発明の方法で使用される溶媒は、その臨界温度および圧力未満（すなわち、溶媒の「臨界点」未満）のレベルに加熱または加圧され得る。したがって、溶媒の最大温度および／または最大圧がその「臨界点」の温度・圧力未満の場合は、溶媒は、「亜臨界」溶媒となり得る。好ましくは、「亜臨界」溶媒は、溶媒の「臨界点」に近いレベル（単一または複数）（例えば、臨界温度より約１０℃〜約５０℃低い温度および／またはその臨界圧力より約１０気圧〜約５０気圧低い圧力）に加熱および／または加圧される。
【０２０９】
いくつかの実施形態では、本発明の方法で使用される溶媒は、その臨界温度および圧力超および未満の両方のレベルに加熱および加圧（すなわち、異なる時点で、溶媒の「臨界点」超および未満に加熱および／または加圧）され得る。したがって、本方法を実施する際に、溶媒は、「亜臨界」と「超臨界の」状態の間で変動してよい。
【０２１０】
保持時間
目標温度および圧力に到達しているときに、有機物質供給原料（例えば、リグノセルロース系物質および／または褐炭など石炭）の変換が達成され得る具体的時間（すなわち、「保持時間」）は、例えば、処理している有機物質の種類および反応中の成分の相対的比率（例えば、溶媒、蒸解廃液、有機物質供給原料、および必要に応じて添加物油、触媒添加物、および／または任意の他の追加の成分（単一または複数））、および／またはこの方法を実施する装置の種類を含む多くの異なる要因に依存し得る。これらおよびその他の要因は、所定の方法を最適化するために、収率を最大化し、および／または処理時間を減らすように変更してよい。保持時間は、全てまたはほぼ全ての供給原料として使用される有機材料が、バイオ生成物（単一または複数）に変換されるのに十分であるのが好ましい。
【０２１１】
特定の実施形態では、保持時間は、約６０分未満、４５分、３０分、２５分、２０分、１５分、１０分または約５分未満である。特定の実施形態では、保持時間は、約６０分超、４５分、３０分、２５分、２０分、１５分、１０分または約５分超である。他の実施形態では、保持時間は、約１分〜約６０分である。さらなる実施形態では、保持時間は、約５分〜約４５分、約５分〜約３５分、約１０分〜約３５分、または約１５分〜約３０分である。さらなる実施形態では、保持時間は、約２０分〜約３０分である。
【０２１２】
本明細書に記載の所与の一連の反応条件に対する最適保持時間は、保持時間のみが異なる一連の反応を準備し、実行し、生成されたバイオ生成物（単一または複数）の収率および／または品質を分析することにより、当業者により容易に決定され得る。
【０２１３】
加熱／冷却、加圧／除圧
有機物質供給原料（例えば、リグノセルロース系物質および／または褐炭などの石炭）、溶媒、蒸解廃液、および必要に応じて、本明細書中で定義されている１種または複数の触媒添加物を含む反応混合物（例えば、スラリーの形態の）を、所与の時間にわたり目標温度および圧力にし得る（すなわち、温度／圧力が「保持時間」中維持される）。
【０２１４】
大きな比率の油性添加物を含まない反応混合物は、ある程度の溶媒をインサイツで生成するために、非常に高速な初期変換を必要とする場合がある。しかし、本明細書に記載のように油を反応混合物中に混合することにより、油が追加の溶媒として機能することが可能となり、それにより、迅速な加熱／加圧の要件が緩和される。
【０２１５】
いくつかの実施形態では、反応混合物は、反応温度に到達する前に、別の予備加熱段階に供せられる。予備加熱段階は、完全反応混合物が形成される前に、供給原料スラリーに対し実施し得る。あるいは、予備加熱段階は、全ての反応混合物成分を含むスラリーに対し実施してもよい。いくつかの実施形態では、予備加熱段階は、供給原料スラリーまたは反応混合物の温度を約１２０℃、１３０℃、１４０℃、１５０℃、１６０℃、１７０℃、１８０℃、１９０℃、または２００℃の最大温度に上げる。他の実施形態では、温度は、約１２０℃、１３０℃、１４０℃、１５０℃、１６０℃、１７０℃、１８０℃、１９０℃、または２００℃未満まで上げられる。さらにその他の実施形態では、温度は、約１００℃〜約２００℃、約１００℃〜約１８０℃、約１００℃〜約１６０℃、約１２０℃〜約１８０℃、または約１２０℃〜約１６０℃に上げられる。
【０２１６】
連続フローシステムでは、圧力は通常、ポンプを通過する時間中に（すなわち、ほぼ瞬間的に）大気圧から目標圧力まで変化し、一方、バッチシステムでは、その時間は、混合物を加熱するのに要する時間を反映することになろう。
【０２１７】
いくつかの実施形態では、反応混合物は、約３０秒〜約３０分の時間で目標温度および／または圧力になり得る。
【０２１８】
いくつかの実施形態では、反応混合物は、約１５分未満、約１０分未満、約５分未満、または約２分未満の時間で目標温度および／または圧力になり得る。
【０２１９】
特定の実施形態では、反応混合物はほぼ瞬間的に目標圧力になり得、および約２０分未満、約１０分未満、または約５分未満で目標温度なり得る。他の実施形態では、反応混合物はほぼ瞬間的に目標圧力になり得、および約２分未満で目標温度なり得る。他の実施形態では、反応混合物はほぼ瞬間的に目標圧力になり得、および約１分〜約２分で目標温度なり得る。
【０２２０】
追加でまたは代わりに、保持時間の完了後、生成された生成物混合物は、約１０分未満、好ましくは約７分未満、より好ましくは約６分未満、好ましくは約４分〜約６分、より好ましくは約５分の時間で、約１５０℃〜約２００℃、約１６０℃〜約２００℃、好ましくは約１７０℃〜約１９０℃、およびより好ましくは約１８０℃に冷却され得る。初期の冷却期間後、温度は、冷却水性媒体（例えば、冷却水）中への急速放出により、同時除圧を伴いながら、周囲温度にまで下げられ得る。
【０２２１】
加熱／加圧および冷却／除圧のプロセスは、本発明の方法を連続フローシステム（下記の「連続流」の標題のセクション参照）で実施することにより促進し得る。
【０２２２】
連続流
本発明の方法を使った有機物質供給原料（例えば、リグノセルロース系物質および／または褐炭などの石炭）からのバイオ生成物生成は、連続流の条件下でこの方法を実施することにより、支援され得る。
【０２２３】
本方法は、連続流の条件下で行うことが必要ではないが、そうすることにより、多くの有利な効果が得られる可能性がある。例えば、連続流は加速実施および／またはスラリーに加えられた熱および／または圧力の加速除去を促進し得る。これは、所望の速度の物質および熱移動、加熱／冷却および／または加圧／除圧の達成を支援し得る。連続流はまた、保持時間を厳密にコントロール可能にし得る。特定の作用モードに限定するものではないが、保持時間を厳密に調節する能力と共に、連続流条件下により促進された加熱／冷却および／または加圧／除圧の速度の増加が、スラリー加熱／加圧および／または冷却／除圧に伴う望ましくない副反応（例えば、重合）の発生の防止を支援することが想定される。連続流はまた、供給原料の反応表面からの油の輸送および「貯蔵」に関与する重要な機構であり得る乳化を助けると考えられる混合および剪断力を生成し、加えて、いわゆる「ｏｎ−ｗａｔｅｒ触媒」のための界面表面積を提供するという理由から、有機物質のバイオ燃料への変換に係わる反応を高めると考えられる。
【０２２４】
したがって、好ましい実施態様では、本発明の方法は、連続流の条件下で実施される。本明細書で使用される場合、「連続流」という用語は、溶媒および蒸解廃液とスラリーの形態に混合された有機物質供給原料（固体基質、油性添加物および／または触媒添加物に内のいずれか１種または複数をさらに含んでよい）が、
（ａ）目標温度および圧力への加熱および加圧、
（ｂ）目標温度（単一または複数）および圧力（単一または複数）で所定時間（すなわち、「保持時間」）の処理、および
（ｃ）冷却および除圧、に供されるプロセスを意味し、
スラリーが、所定表面の長さ（または部分長さ）に沿った連続移動流中に維持される。本明細書で意図されている「連続流」条件は、開始点の加熱および加圧（すなわち、上記の（ａ））および終点の冷却および除圧（すなわち、上記（ｃ））により規定されることは理解されよう。
【０２２５】
本明細書で意図されている連続流条件は、スラリーが連続移動流中で維持される限りにおいて、スラリーの流速に関し、何ら特段の制限を意味しない。
【０２２６】
所定の表面に沿ったスラリーの最小（体積非依存的）流速が、スラリー内の固体物質の沈降速度（すなわち、周囲溶液より大きい密度を有する懸濁粒子がスラリー流の底部に向かって（重力により）移動する終端速度）を超えるのが好ましい。
【０２２７】
例えば、スラリーの最小流速は、約０．０１ｃｍ／秒超、約０．０５ｃｍ／秒超、好ましくは約０．５ｃｍ／秒超およびより好ましくは約１．５ｃｍ／秒超であってよい。より高い流速は、体積流量および／または保持時間などの要因により影響を受け得る。これが次に、連続流の条件を維持するために使用される特定の反応器装置の構成要素により影響を受け得る。
【０２２８】
連続流条件は、例えば、好適な反応器装置で本発明の方法を実施することにより促進され得る。好適する反応器装置は通常、加熱／冷却、加圧／除圧およびスラリーの連続流が維持される反応構成要素を含む。
【０２２９】
好適な流速の使用（連続流条件下）は、スラリーが移動する特定の表面（例えば、反応器装置の容器壁）の長さに沿ったスケール形成を防ぐ点および／またはスラリー中および内への効率的熱伝達のための効果的な混合方式を生成する点で有利であり得る。
【０２３０】
バイオ生成物
本明細書で開示の方法を使って、有機物質供給原料（例えば、リグノセルロース系物質および／または褐炭などの石炭）からのバイオ生成物（単一または複数）を製造し得る。バイオ生成物（単一または複数）の性質は、例えば、処理した有機物質供給原料、および／またはこの方法で使用した反応条件／試薬を含む種々の異なる要因に依存し得る。
【０２３１】
特定の実施形態では、バイオ生成物（単一または複数）は、１種または複数のバイオ燃料（例えば、バイオオイル、チャー生成物、ガス状生成物）および化学製品（例えば、プラットフォーム化学製品、有機酸、フラニクス、フルフラール、ヒドロキシメチルフルフラール、レボグルコサン、ソルビトール、シリトール（ｃｙｌｉｔｏｌ）、アラビニトール、ホルムアルデヒド、アセトアルデヒド）を含んでよい。
【０２３２】
通常、本発明の方法により製造されるバイオ生成物（単一または複数）は、バイオオイルを含むまたはそれから構成される。バイオオイルは、限定されないが、アルカン、アルケン、アルデヒド、カルボン酸、炭水化物、フェノール、フルフラール、アルコール、およびケトンの内のいずれか１種または複数などの化合物を含んでよい。バイオオイルは、限定されないが、アルデヒド、カルボン酸、炭水化物、フェノール、フルフラール、アルコール、およびケトン、ならびに樹脂および樹脂酸および樹脂酸に構造的に関連する化合物、アルカンおよびアルケン、脂肪酸および脂肪酸エステル、ステロールおよびステロール関連化合物、フランオリゴマー、シクロペンタノン、およびシクロヘキサノン、アルキルおよびアルコキシシクロペンタノン、およびシクロヘキサノン、シクロペンテノン、アルキルおよびアルコキシシクロペンテノン、ナフタレン、ならびにアルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデンおよびインデン誘導体を含む芳香族化合物などの化合物を含んでよい。
【０２３３】
バイオオイルは、限定されないが、炭水化物、アルデヒド、カルボン酸、炭水化物、フェノール、フルフラール、アルコールおよびケトン、樹脂および樹脂酸、および樹脂酸に構造的に関連する化合物、アルカンおよびアルケン、脂肪酸および脂肪酸エステル、ステロールおよびステロール関連化合物、フランオリゴマー、シクロペンタノン、およびシクロヘキサノン、アルキルおよびアルコキシシクロペンタノン、およびシクロヘキサノン、シクロペンテノン、アルキルおよびアルコキシシクロペンテノン、ナフタレンならびにアルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデンおよびインデン誘導体を含む芳香族化合物、の内のいずれか１種または複数を含んでよい水溶性水性相；および限定されないが、ワックス、アルデヒド、カルボン酸、炭水化物、フェノール、フルフラール、アルコール、およびケトン、ならびに樹脂および樹脂酸および樹脂酸に構造的に関連する化合物、アルカンおよびアルケン、脂肪酸および脂肪酸エステル、ステロールおよびステロール関連化合物、フランオリゴマー、シクロペンタノン、およびシクロヘキサノン、アルキルおよびアルコキシシクロペンタノン、およびシクロヘキサノン、シクロペンテノン、アルキルおよびアルコキシシクロペンテノン、ナフタレン、ならびにアルキルおよびアルコキシ置換ナフタレン、クレゾール、アルキルおよびアルコキシフェノール、アルキルおよびアルコキシカテコール、アルキルおよびアルコキシジヒドロキシベンゼン、アルキルおよびアルコキシヒドロキノン、インデンおよびインデン誘導体を含む芳香族化合物の内のいずれか１種または複数を含む化合物を含んでよい非水溶性相を含む多層を含んでもよいが、これらに限定されない。
【０２３４】
バイオ生成物の他の非限定的例には、油性木炭（例えば、結合油を含む炭素木炭）、木炭、およびガス状生成物（例えば、メタン、水素、一酸化炭素および／または二酸化炭素、エタン、エテン、プロペン、プロパン）が挙げられる。
【０２３５】
いくつかの実施形態では、バイオ燃料は、リグノセルロース系物質を含む有機物質から製造されてよい。バイオ燃料は、バイオオイルを含む液相を含んでよい。
【０２３６】
本発明の方法により製造されたバイオ燃料（例えば、バイオオイル）は、多くの有利な特徴を含み得る。これらの特徴の非限定的例には、酸素含量の低減、水素含量の増加、エネルギー含量の増加および安定性の向上が挙げられる。さらに、本発明の方法により製造されたバイオオイルは、液化生成物を含む単一油相を含み得る。生成物は、例えば、大量の水を蒸発させる必要性を解消する遠心分離を使って油相から分離し得る。
【０２３７】
本発明の方法により製造されたバイオオイルバイオ生成物は、約２５ＭＪ／ｋｇ超、約３０ＭＪ／ｋｇ超、より好ましくは約３２ＭＪ／ｋｇ超、より好ましくは約３５ＭＪ／ｋｇ超、さらにより好ましくは３７ＭＪ／ｋｇ、３８ＭＪ／ｋｇまたは３９ＭＪ／ｋｇ超、および最も好ましくは約４１ＭＪ／ｋｇ超のエネルギー含量を含んでよい。バイオオイル生成物は、約２０％未満の酸素、好ましくは約１５重量％ｄｂ未満の酸素、より好ましくは約１０重量％ｄｂ未満の酸素、さらにより好ましくは約８重量％ｄｂ未満の酸素、さらにより好ましくは約７重量％ｄｂ未満の酸素、および最も好ましくは約５重量％ｄｂ未満の酸素を含んでよい。バイオオイル生成物は、約６重量％ｄｂ超の水素、好ましくは約７重量％ｄｂ超の水素、より好ましくは約８重量％ｄｂ超の水素、およびさらにより好ましくは約９重量％ｄｂ超の水素を含んでよい。本発明のバイオオイルの水素：炭素モル比は、約１．５未満、約１．４未満、約１．３未満、約１．２未満、または約１．０であってよい。
【０２３８】
本発明の方法により製造されるバイオオイルは、例えば、次の種類の化合物の内のいずれか１種または複数を含んでよい：フェノール、芳香族および脂肪族酸、ケトン、アルデヒド、炭化水素、アルコール、エステル、エーテル、フラン、フルフラール、テルペン類、多環式化合物、それぞれの上述の種類のオリゴマーおよびポリマー、植物ステロール、変性植物ステロール、アスファルテン、プレアスファルテン、およびワックス。
【０２３９】
本発明の方法により製造された木炭または油性木炭バイオ生成物は、約２０ＭＪ／ｋｇ超、好ましくは約２５ＭＪ／ｋｇ超、より好ましくは約３０ＭＪ／ｋｇ超、さらにより好ましくは約３１ＭＪ／ｋｇ、３２ＭＪ／ｋｇ、３３ＭＪ／ｋｇまたは３４ＭＪ／ｋｇ超のエネルギー含量を含んでよい。木炭または油性木炭生成物は、約２０重量％ｄｂ未満の酸素、好ましくは約１５重量％ｄｂ未満の酸素、より好ましくは約１０重量％ｄｂ未満の酸素、およびさらにより好ましくは約９重量％ｄｂ未満の酸素を含んでよい。木炭または油性木炭生成物は、約２重量％ｄｂ超の水素、好ましくは約３重量％ｄｂ超の水素、より好ましくは約４重量％ｄｂ超の水素、およびさらにより好ましくは約５重量％ｄｂ超の水素を含んでよい。本発明の木炭または油性木炭生成物の水素：炭素モル比は、約１．０未満、約０．９未満、約０．８未満、約０．７未満、または約０．６未満であってよい。
【０２４０】
本発明の方法により製造される油性木炭バイオ生成物は、例えば、次の種類の化合物の内のいずれか１種または複数を含んでよい：フェノール、芳香族および脂肪族酸、ケトン、アルデヒド、炭化水素、アルコール、エステル、エーテル、フラン、フルフラール、テルペン類、多環式化合物、それぞれの上述の種類のオリゴマーおよびポリマー、アスファルテン、プレアスファルテン、およびワックス。
【０２４１】
本発明の方法により製造された木炭バイオ生成物（改良型ＰＣＩ等価石炭）は、例えば、表面カルボキシおよびアルコキシ基ならびにカルボニルおよびエステルをもたらす部分的に酸素化された末端基を有する非晶質およびグラファイト炭素の混合物を含んでよい。
【０２４２】
本発明の方法により製造されたバイオ生成物は、１種または複数のバイオ燃料（例えば、バイオオイル、チャー生成物、ガス状生成物）および化学製品（例えば、プラットフォーム化学製品、有機酸、フラニクス、フルフラール、ヒドロキシメチルフルフラール、レボグルコサン、ソルビトール、シリトール（ｃｙｌｉｔｏｌ）、アラビニトール、ホルムアルデヒド、アセトアルデヒド）を含んでよい。
【０２４３】
本発明の方法により製造されるバイオ生成物は、洗浄し、および／または当該技術分野において既知の標準的な技術を使って個々の成分に分離してよい。
【０２４４】
例えば、バイオ燃料生成物（例えば、石炭の変換由来の）の固相および液相は、固体および液体分離の第１の段階で、圧力フィルタープレス、またはロータリーバキュームフィルターを通して濾過し得る。得られた固体生成物は、結合油を含む高炭素木炭を含み得る。特定の実施形態では、油は、例えば、熱蒸留により、または溶媒抽出により、木炭から分離してよい。得られた液体生成物は、低パーセンテージの軽油を含んでよく、これは、蒸発器により濃縮および回収してよい。
【０２４５】
本発明の方法により製造されるバイオ生成物は、いくつかの用途に使用し得る。例えば、バイオ燃料を、例えば、エタノール、ディーゼル燃料などを含むその他の燃料とブレンドしてよい。追加でまたは代わりに、バイオ燃料をより高級な燃料製品に改良してもよい。追加でまたは代わりに、バイオ燃料を、例えば、石油製品などとして直接に使用してよい。
【０２４６】
図２Ａを参照すると、本発明の一実施形態による統合されたパルプ工場および熱化学変換システムがシステム１で一般に示されている。システム１は、木材取り扱いサブシステム、蒸解装置サブシステム、漂白プラントサブシステム、化学薬品回収サブシステム、熱化学変換サブシステム、および廃水処理サブシステムを含むいくつかのサブシステムの組合せであると見なしてよい。
【０２４７】
蒸解装置サブシステムは、加圧および過熱下で、苛性白液によるリグノセルロース系材料の化学的蒸解を担い、ほぼ純粋なセルロース繊維からなる木材パルプを生成する。蒸解後のあわせた液体は、黒液として知られ、リグニン断片、セルロースおよびヘミセルロースの分解由来の炭水化物、加水分解レジンおよび脂肪酸を含む抽出物、硫酸ナトリウムおよびその他の無機材料を含む。本開示においては、その後の洗浄ステップおよびその設備は、蒸解装置サブシステムの一部を形成すると見なされる。
【０２４８】
蒸解装置サブシステムで生成されたパルプは、漂白プラントサブシステムに送られ、そこで、二酸化塩素、水酸化ナトリウムおよび過酸化物を使ってパルプに対しさらなる化学処理が行われて、残留リグニンおよび発色団が除去され、その白色度が向上する。漂白プラントからの流出物は廃水処理サブシステムに送られてもよい。漂白プラント流出物は、有機物質源であるので、以降でさらに記載のように、漂白プラント流出物を熱化学変換サブシステムに送るのが望ましい場合がある。しかし、漂白プラント流出物中の腐食性の塩化物の存在により、これが好ましいことではなくなっている。
【０２４９】
蒸解装置サブシステムからの黒液は、化学薬品回収サブシステムに送られ、そこで凝縮水が黒液から回収され、黒液が燃焼されて、工場中の他の場所で使用するための高圧蒸気が生成され、また、さらなるパルプ化のために蒸解装置に再導入される白液が生成される。
【０２５０】
蒸解装置サブシステムまたは化学薬品回収サブシステムからの蒸解廃液はまた、バイオ生成物の製造に使用するために熱化学変換サブシステムに送ることができる。熱化学変換システムはまた、漂白プラントサブシステムからの流出物を受け取ってもよい。熱化学変換システムにより生成された凝縮水および蒸気はまた、上述のサブシステムのいずれかに再送出することができる。
【０２５１】
蒸解装置サブシステム
図２を再度参照すると、リグノセルロース系材料が、例えば、木材３として、システム１に導入される。木材３は、皮剥ぎ機４に送られ、そこで皮が剥ぎ取られる。皮を剥がれた木材６は木材チッパー８に送られ、一方、樹皮１０はホッグフューエルボイラー１２に送られる。一部の樹皮１０はまた、熱化学変換サブシステムの混合タンク７６に送られてもよい。木材チッパー８により生成された木材チップ１８は、チップ貯蔵容器２０に送られ、一方、チップ化微細繊維１９はホッグフューエルボイラー１２に送られる。ホッグフューエルボイラー１２は、高圧蒸気２８を生成し、これは、タービン、例えば、タービン１６に供給され、工場内の他の場所および／または熱化学変換サブシステムで使うために蒸気圧力を下げ、また、工場内の他の場所および／または熱化学変換サブシステムで使用するために発電に使われる。例えば、この、蒸気は、必要に応じ加熱するために、蒸解装置、蒸発器および濃縮機、パルプ乾燥機ならびに抄紙機乾燥機部、および／または熱化学変換サブシステムに向けられてもよい。
【０２５２】
チップ貯蔵容器２０から、木材チップ１８はクラフト蒸解装置２４に送られ得、そこで苛性白液２６と混合され、高温でおよび高圧で（例えば、タービン１６で生成された蒸気を使って）蒸解され、脱リグニンパルプおよび黒液を生成する。加熱、加圧された黒液３３は、蒸解装置２４から取り出され、フラッシュタンク３４に送られる。他方、蒸解パルプはブロータンク５０に送られ、そこで圧力が大気圧に下げられ、蒸気および揮発物が放出される。ブロータンク５０からの揮発物５１は凝縮され、テレビン油デカンター３８に送られる。
【０２５３】
除圧された黒液３３の混合物はフラッシュタンク３４内で大気圧まで急速に気化され、蒸気、同伴全還元硫黄化合物（ＴＲＳ）、メタノール、およびテレビン油を放出する。揮発物は凝縮器を通った後、テレビン油デカンター３８に送られ、そこで、テレビン油４６が越流として、汚染凝縮水４７が底流として回収され得る。テレビン油４６は、敷地外へ輸送されるか、またはパルプ工場内で燃料として使用されてよい。あるいは、テレビン油４６は、混合タンク７６へ送られ、バイオ生成物への熱化学変換用の有機物質供給原料として使用されてよい。
【０２５４】
汚染凝縮水４７は、ストリッパーに送られてＴＲＳを除去され、ＴＲＳは通常、工場内で焼却される。得られた水溶液流は通常、メタノールなどの有機物を含み、そのため、水および有機物質源として、ストリッパーから混合タンク７６に向けられてもよい。あるいは、一部の汚染凝縮水４７はそれ自体、水および有機物質源として、混合タンク７６に送られる場合もあり得る。汚染凝縮水それ自体を熱化学変換サブシステムで使用することの１つの利点は、パルプ工場内で生成され、処理の必要なＴＲＳの量を減らし、その結果として、熱化学変換サブシステムで生成されるかなりの量のＴＲＳを処理する余分のスペースを減らし得る点である。
【０２５５】
希黒液４０は、フラッシュタンク３４から回収され、希黒液貯蔵タンク４２に送られる。あるいは、希黒液４０は混合タンク７６に送られてもよい。少なくとも一部の希黒液を、蒸発器ではなく、熱化学変換サブシステムに直接送ることにより、パルプ工場の化学薬品回収サブシステムの負荷を減らし、それにより、蒸解装置２４にパルプ化できる木材チップ１８の量を増やし得る。化学薬品回収サブシステムから別の方向に流す黒液固形物の１％毎に、１日当たり、１トンもの追加の完全漂泊パルプを製造し得る。希黒液貯蔵タンク４２中では、トール油石鹸４８が希黒液４０からすくい取られ、トール油に処理され、および／または混合タンク７６に送られ得る。あるいは、トール油石鹸４８は、希黒液貯蔵物からすくい取られ、混合タンク７６に送られてもよい。すくい取られたトール油石鹸を希黒液貯蔵物から直接混合タンク７６送ることにより、輸送のためにトール油石鹸をトール油に処理するコストを削減することになろう。
【０２５６】
蒸解装置から回収された蒸解パルプは、褐色紙料パルプとも呼ばれ、ブロータンク５０からノッター５２に送られ、そこで、未蒸解ノット５３が褐色紙料パルプから分別され、ホッグフューエルボイラー１２に送られる。あるいは、ノット５３は、有機物質供給原料として使用するために、熱化学変換サブシステムの混合タンク７６に送られてもよい。
【０２５７】
ノット除去褐色紙料パルプは、ノッター５２から褐色紙料洗浄機５４に送られ、ここで残留黒液が、水で洗浄されることによりセルロース繊維から分離される。当業者なら、パルプ工場は通常、直列に配置され、パルプが洗浄機を移動する方向に対し洗浄水が向流として移動する、いくつかの褐色紙料洗浄機を有することを理解するであろう。褐色紙料パルプから取りだされた洗浄水および黒液の混合物を含む、一部の褐色紙料洗浄機濾液３２は通常、蒸解液と混合され、パルプを洗浄し、高温および高圧で黒液を除去するために、褐色紙料洗浄機５４から蒸解装置２４に送られる。あるいは、その他の部分または全ての褐色紙料洗浄機濾液３２は、希黒液貯蔵タンク４２に、および／または熱化学変換サブシステム（例えば、混合タンク７６）に向けられてもよい。
【０２５８】
褐色紙料洗浄機５４から、褐色紙料パルプがスクリーンルーム５８に送られ、そこで、結束繊維、微細繊維、ごみおよびその他の破砕物（ひとまとめにして、「微細繊維」５９）が除去され得、ホッグフューエルボイラー１２または混合タンク７６に送られる。分別された褐色紙料パルプはその後、酸素脱リグニン６０に送られ、残留リグニンが除去される。次に、酸素脱リグニンパルプは、さらなる洗浄のために、酸素脱リグニン後洗浄機６２に送られる。当業者なら、複数の酸素脱リグニン後洗浄機が直列に配置され、パルプが洗浄機を移動する方向に対し洗浄水が向流として移動することも理解するであろう。洗浄水６４は通常、酸素脱リグニン後洗浄機６２で蒸解装置サブシステムに導入される。褐色紙料洗浄水５６は、酸素脱リグニン後洗浄機６２から褐色紙料洗浄機５４に送られる。一部の褐色紙料洗浄水５６はまた、褐色紙料洗浄機５４に向け直す前に、スクリーンルーム５８に送ってもよい。あるいは、褐色紙料洗浄水５６は、熱化学変換サブシステムの混合タンク７６に送られてもよい。
【０２５９】
漂白プラントサブシステム
スクリーンルーム５８または酸素脱リグニン後洗浄機６２から、分別された褐色紙料または酸素脱リグニンパルプ６５は、さらなる脱リグニンおよび増白のために、漂白プラント６６に送られる。褐色紙料または酸素脱リグニンパルプ６５の漂泊のために、二酸化塩素、オゾン、過酸化物およびさらに苛性物を含む漂白剤が漂白プラント６６に供給される。例えば、二酸化塩素６８は、塩素酸ナトリウムプラント７０により製造され、漂白プラント６６に送られ得る。塩素酸ナトリウム製造プロセスの副産物として製造された水素６９は、バイオ生成物のクラッキングに使用するために、塩素酸ナトリウムプラント７０から熱化学変換サブシステムの水素化処理装置８７に送られる。
【０２６０】
パルプは、漂白された市場パルプ７２として漂白プラントから出ていく。苛性物、有機分子、およびクロリドを含む、漂白プラント流出物７４は、廃水処理サブシステムに送られてよい。
【０２６１】
化学薬品回収サブシステム
希黒液貯蔵タンク４２から、希黒液４４は、触媒および／または有機物質源として使用するために、熱化学変換サブシステム（例えば、混合タンク７６）に送られてよい。それ以外は、希黒液４４は、多効蒸発器９０に送られ、そこで濃縮される。この濃縮プロセス中、部分的に濃縮された黒液（２５〜４０％の固形物濃度で）は、蒸発器スキムタンクに向けられ、そこで、トール油石鹸９１が液の表面に上昇し、そこですくい取られた後に、トール油へと処理される、および／または混合タンク７６に送られる。この場合も、すくい取られたトール油石鹸が、蒸発器９０から混合タンク７６に直接送られることにより、輸送のためにトール油石鹸をトール油へと処理するコストを削減することになろう。一部の部分的に濃縮され、すくい取られた黒液は、触媒および有機物質として使用するために、混合タンク７６に送られてもよい。
【０２６２】
蒸発器９０から、濃黒液９８は濃縮機１００に送られ、そこで、黒液は、重黒液１０２に濃縮され、回収ボイラー１０４に送られる。一部の濃黒液９８は、触媒および有機物質源として使用するために、混合タンク７６に送られてもよい。同様に、一部の重黒液１０２は、混合タンク７６に送られてもよい。
【０２６３】
多効蒸発器９０はまた、清浄凝縮水９２、汚染凝縮水９４および混合凝縮水９６を含むいくつかの凝縮水流を生成する。清浄凝縮水９２は通常、ポリッシャーもしくは酸素脱リグニン後洗浄機６２に送られるか、またはその他の流れを冷却するために（およびそれにより加熱されるために）送られる。混合凝縮水９６は、酸素脱リグニン後洗浄機６２に送られてもよい。汚染凝縮水９４は、再使用および／または下水に流す前にストリッパーに送ってもよい。しかし、凝縮水流９２、９４および９６のいずれかは、混合タンク７６に送られてよい。
【０２６４】
多効蒸発器の代表的システムでは、希黒液（例えば、９１℃で１９重量％の固形物）は、１，２１５ｋｇ固形物／分の速度で蒸発器に受け取られてよい。加熱用として、蒸気（例えば、１５６℃で５５０ｋＰａ）が７５，１００ｋｇ／時間の速度で蒸発器により受け取られ得る。ストリッパー蒸気（例えば、１５６℃で５５ｐｋＰａ）が４，１００ｋｇ／時間の速度で蒸発器により受け取られ得る。凝縮器用の冷却水（例えば、１５℃）が２７，０００ｋｇ／分の速度で蒸発器により受け取られ得る。全体で、蒸発器は、１７５０トン（３．８５百万ポンド）／日の黒液固形物を処理し得る。出力として、蒸発器は、１，２１５ｋｇ固形物／分の速度で濃黒液（例えば、９１℃で１９重量％の固形物）を製造し得る。清浄凝縮水（例えば、１４３℃）が、例えば、ポリシングに輸送するために、約１，２５０ｋｇ／分で製造され得る。汚染凝縮水（例えば、７９℃）が、例えば、ポリシングに輸送するために、約１，８７５ｋｇ／分で製造され得る。混合凝縮水（例えば、８３℃）が、褐色紙料洗浄機（例えば、２，１２０ｋｇ／分）または下水道（例えば、５２０ｋｇ／分）に輸送するために、約２，６７０ｋｇ／分で製造され得る。凝縮器からの温水（例えば、３７℃）が約２７，０００ｋｇ／分で製造され、温水タンクに輸送され得る。
【０２６５】
回収ボイラー１０４に送られた重黒液１０２の一部が焼成され、パルプ化プロセスで再使用するための無機化学薬品が回収される。重黒液１０２中のより高濃度の固形物（約６５重量％〜８０重量％）は、回収サイクルのエネルギー効率および化学薬品効率を高める。回収ボイラー中で生成されたスメルト１０８は、溶解タンク１１２に送られ、そこで「希洗浄水」として知られるプロセス水中に溶解され、「緑液」を生成する。回収ボイラー１０４はまた、高圧蒸気を生成し、これはタービン１６に供給され得る。フライアッシュ１１０は、沈殿槽１０６から回収ボイラー１０４に戻され、ナトリウムおよび硫黄回収を増やしてもよい。あるいは、フライアッシュは、濃黒液９８と混合するために、濃縮機１００に、および／または有機物質源として使用するために、熱化学変換サブシステムに送られてもよい。
【０２６６】
緑液１１４は、溶解タンク１１２から緑液清澄器１１６に送られる。清澄化緑液１１８は通常、苛性化槽１２０に送られ、そこで酸化カルシウム（すなわち、石灰）と混合されて、白液を生成する。その後、白液１２３は白液清澄器１２２に送られる。清澄化白液２６ａは、パルプ化に使用されるために蒸解装置２４に送られる。あるいは、白液２６ａは、触媒源として使用するために、混合タンク７６に送られてもよい。
【０２６７】
残留石灰泥１２４は、白液清澄器１２２から石灰泥洗浄機１２６に送られる。この石灰泥洗浄機１２６は通常、清澄器であってよい。洗浄石灰泥は、石灰泥プレコート（ＬＭＰＣ）フィルター１２８に送られ、一方、希洗浄水１２５は、スメルト１０８と混合するために、石灰泥洗浄機１２６から溶解タンク１１２に送られる。その後、石灰泥ケーキは、ＬＭＰＣフィルター１２８から石灰キルン１３０に送られ、一方、希洗浄水１２７は、ＬＭＰＣフィルター１２８から溶解タンク１１２に送られる。石灰泥は、石灰キルン１３０中で焼成されて、再焼成石灰１３４が生成され、これは、緑液１１８を白液２６ａに再苛性化するために苛性化槽１２０に送られる。
【０２６８】
熱化学変換サブシステム
熱化学変換サブシステムを参照すると、有機物質供給原料が混合タンク７６中の水および触媒源により受け取られ、反応混合物が生成される。
【０２６９】
有機物質供給原料は、希黒液４４、濃黒液９８、重黒液１０２、トール油石鹸９１、汚染凝縮水９２、清浄凝縮水９６、混合凝縮水９４、漂白プラント流出物７４、褐色紙料洗浄機濾液３２、樹皮１０、ノット５３、微細繊維５９、木材チップ１８、ホッグフューエル１９、オガクズ、および砕木粉の内の１種または複数を含んでよい。ノット、木材チップ、樹皮、ホッグフューエル、微細繊維およびその他のスクリーンかすなどのより大きなリグノセルロース系材料は、混合タンク７６に導入される前に粉砕する必要があり得る。一般ガイドラインは、現状では、６ｍｍ直径までの粒子は、商業上のＣａｔ−ＨＴＲ用途に最適な最大サイズを提供し得るというものである。しかし、反応混合物がスラリーとして圧送可能である限りにおいて、より大きな寸法（例えば、典型的な木材チップのサイズまで）を使用してよい。低温（穏やかな）熱水前処理などのさらなる有機物質前処理ステップは、スラリーとして圧送可能な固形物の量を増やすことができる。
【０２７０】
触媒は、希黒液４４、白液２６ａ、緑液１１８、濃黒液９８、重黒液１０２、トール油石鹸９１、トール油、パルプ工場中の蒸解廃液、褐色紙料洗浄濾液３２、洗浄水５６、および購入苛性ソーダの内の１種または複数の供給源から供給してよい。
【０２７１】
水は、工場水、希黒液４４、白液２６ａ、緑液１１８、濃黒液９８、重黒液１０２、トール油石鹸９１、トール油、汚染凝縮水９２、清浄凝縮水９６、混合凝縮水９４、褐色紙料洗浄濾液３２、ストリッパー凝縮水、および蒸解装置凝縮水の内の１種または複数から供給してよい。漂白プラント流出物７４はまた、塩素およびクロリド含量によっては利用可能な水源である。
【０２７２】
反応混合物の成分は、従来のバルク固形物取り扱い技術（例えば、バイオマス含有バルカーバッグの質量をモニターするロードセル）により、混合タンク７６中でバッチとして処理してもよい。圧送可能な反応混合物の粘稠度を得るために加えられる溶媒または水の量を評価するために、リグノセルロース（例えば、ホッグフューエル、チップ、ノット、および微細繊維）の含水量を定期的オフラインサンプリングまたは可能な限りオンライン手段により測定することができる。
【０２７３】
あるいは、図２Ｂを参照して、蒸解廃液以外の反応混合物成分を予混合タンク１６２中で予混合し、必要に応じて混合タンク７６に送り、蒸解廃液と混合してもよい。
【０２７４】
反応混合物７７は、反応器７８に送られ、そこで、予熱後に、全てまたは一部の有機物質の、バイオ生成物および水を含む生成物混合物への変換に好適する反応温度および圧力で処理される。図２Ｂを参照すると、反応混合物７７は、反応器７８それ自体に送られる前に、供給タンク１６４に送られてよい。供給タンク１６４で、反応混合物に熱化学変換プロセスで生成された分離水および凝縮バイオオイルが補充されて、供給タンク１６４にリサイクルされてよい。
【０２７５】
さらに図２Ｂを参照すると、反応器７８に導入された反応混合物７７は、最初は加圧モジュール７８ａ中で、約１５０〜約３００バール、あるいは、約１５０〜３００バールまたは約１８０〜約２５０バールの圧力に加圧され得る。加圧反応混合物はその後、予熱器５０ｂに送られ、そこで約１５０〜約２５０℃の温度に予熱される。
【０２７６】
次に、反応混合物は、ホッグフューエルボイラー１２、回収ボイラー１０４、またはタービン１６からの蒸気３０から直接送られた蒸気で稼働し、それにより、約２５０〜約４００℃、または約２８０〜約３５０℃、または約３００〜約３５０℃、または約２８０〜約３２０℃の最終反応温度に加熱される熱交換器５０ｃを通って送られる。あるいは、超臨界蒸気を、反応器の直前で、反応混合物中に直接注入して、反応混合物を最終の反応温度にしてもよい。これには、反応混合物より高い圧力である超臨界蒸気が必要となるはずであり、超臨界ボイラーユニットが必要となり得る。
【０２７７】
図２Ａでは、混合タンク７６中で黒液が反応混合物に添加される。しかし、均一系触媒（これに対し、クラフト液の無機成分が部分的にまたは全体的に置換する）は、反応混合物が反応温度および圧力まで上げられた後に添加されるのが好ましい。超臨界蒸気が反応混合物に加えられた後で、注入ポンプを使って、苛性溶液を注入してよい。したがって、図２Ｂを参照して述べれば、蒸解廃液（希黒液４４、白液２６ａ、緑液１１８、濃黒液９８、重黒液１０２、トール油石鹸９１、褐色紙料洗浄濾液３２、褐色紙料洗浄水５６、および購入苛性ソーダ、またはこれらの任意の組み合わせで、まとめて蒸解廃液１７０とされるものを含む）は、反応器７８ｄに入る直前に、例えば、注入ポンプ１７２を使って注入することにより反応混合物中に送ることが可能であろう。これにより、混合タンクが腐食性の苛性液に接触する必要が無く、より安価な材料から作製できるという利点が得られるであろう。新しい苛性物を二次タンク供給源から加えることにより、供給原料流が一定に保持され、液流の変動が補償され得る。あるいは、反応混合物流を、液流の変動を補償するために変えてもよい。
【０２７８】
反応混合物および他の液体中の有機物質流は、この産業界で既知のマスフロー流量センサー／制御装置（例えば、バイオマススラリー用のＣｏｒｉｏｌｉｓ流量センサー）によって測定でき、これらは、スラリーの有効密度を与え、それから、固形物装入量を予測することができる。
【０２７９】
反応器７８ｄ中の保持期間後、例えば、約２０〜約３０分後、反応器７８中で製造された生成物混合物７９は減圧装置８０に送られる。減圧装置８０からの汚染蒸気８１は、熱反応器７８に送られてよく、例えば、反応器中に受け入れられた反応混合物７７の予備加熱に使用するために、予熱器５０ｂに送られてよい。汚染蒸気８１は、約５〜約５０バール、好ましくは約１５〜約３５バールの圧力であってよい。特定の実施形態では、蒸気８１は、約２１２℃で約２０バールである。汚染蒸気８１はまた、非凝縮性ガスを含む。軽油およびその他の化学薬品、水、および非凝縮性ガス９９は、分離装置１６６に送られてよい。分離装置１６６からの軽油９９ａは、水素化処理装置８７に送られてよく、一方、非凝縮性ガス９９ｂおよびその他の蒸気は、回収ボイラー１０４、ホッグフューエルボイラー１２、または追加の焼却炉中で燃焼するために、パルプ工場に戻されてよい。
【０２８０】
バイオ生成物および凝縮水混合物８３は、減圧装置８０から分離装置８２に送られる。水および凝縮水８５は、バイオ生成物から分離され、水源として混合タンク７６に送り返されてよく、一方、合わせたバイオ生成物８３ａおよび８３ｂは、蒸発器８４に送られた後、蒸留器８６に送られてよい。合わせたバイオ生成物８３ｂの一部は、図２Ｂに示すように、反応混合物に混ぜ合わせるために、混合タンク７６、または供給タンク１６４に戻してもよい。蒸留器８６に受け取られた、合わせたバイオ生成物８３ｂは、蒸留により重バイオオイル留分８３ｃに分離され、蒸留バイオオイル８３ｄは留分８３ｄに分離される。蒸留器８６は、熱交換器７８ｃからの廃棄物蒸気３０ｃにより加熱されてもよい。重バイオオイル留分８３ｃは、コーカー８８に送られる。
【０２８１】
水および凝縮水８５は、その他の成分の中でも、アルキルフェノールおよびアルキルカテコール、ケトン、アルコール、特にメタノールおよびエタノール、ならびに有機硫黄化合物などの溶解有機物を含む。この水、ならびに汚染凝縮水８１にはまた、無機化合物、主に、明らかでない酸化状態を有する硫黄含有陰イオンのナトリウム一次塩、および炭酸、ギ酸、メチルコハク酸、酢酸、グリコール酸、および乳酸のカルボン酸塩が含まれる。無機成分が蓄積し、触媒活性が低下するので、水は熱化学変換サブシステム内で無限にリサイクルできない。また、流入バイオマスは水を含み、したがって、正味の水の流入が存在する。したがって、水は、熱化学変換サブシステムから排出する必要がある。
【０２８２】
水は、パルプ化プロセス用に無機成分を回収するために、熱化学変換サブシステムからパルプ工場に送られてよく、加えて、回収ボイラー中で熱を生成するために有機物を有してよい。事前の有機物の生物学的処理、有機物の吸着およびバイオ原油生成物流に付加するための回収、または有機物の吸着に続く反応器中での吸着質（例えば、セルロースカートリッジフィルター）の処理の後で、水がパルプ工場に送られてもよい。
【０２８３】
必要となる水処理を最小限にするために、反応器中で熱水反応が起こるのを可能とする最小量のみの水を有するのが望ましい。１つの選択肢は、追加の反応混合物成分媒体として油を使うことである。油は、リサイクルされた油とすることができ、可能な油再循環経路を図２Ｂに示すが、トール油、あるいは植物油などの他の供給源からの油であってもよい。
【０２８４】
再度図２Ａおよび２Ｂを参照すると、蒸留バイオオイル留分８３ｄは、クラッキングにより炭化水素液体８３ｆを製造するために、蒸留器８６から水素化処理装置８７へ送られる。蒸留バイオオイル留分８３ｄの一部は、図２Ｂに示すように、反応混合物に混ぜ合わせるために、混合タンク７６、または供給タンク１６４に戻してもよい。重バイオオイル留分８３ｃは、蒸留器８６からコーカー８８に送られてよい。コーカー８８からのバイオ生成物８３ｅは、水素化処理装置８７に送られてもよく、一方、コーカー８８からのバイオコークス８９は、ホッグフューエルボイラー１２または回収ボイラー１０４に送られてもよい。バイオ生成物８３ｅの一部は、図２Ｂに示すように、反応混合物に混ぜ合わせるために、混合タンク７６、または供給タンク１６４に戻してもよい。
【０２８５】
実施例
本発明について、以降で具体的な実施例を参照して説明するが、これは、多少なりとも限定するものであると解釈されるべきではない。
下記の実施例において、使用した熱化学変換プロセスは、「Ｃａｔ−ＨＴＲ」とも呼ばれる。
【０２８６】
実施例１：材料および方法
オーストラリアラジアータマツを黒液と共に実験し、黒液の触媒作用および好適な操作温度を確定した。同様にして、水酸化ナトリウムを使い、その後、黒液を使って、ホッグフューエル試験を別に行った。最後に、ホッグフューエル、ＳＰＦ木材チップ、および製紙スラッジを含む混合供給原料を黒液で処理した。
【０２８７】
供給原料に対し前処理試験を行い、小パイロットプラント（ＳＰＰ）の仕様に合わせて準備した。小パイロットプラント中で供給原料の乾式粉砕、続けて、Ｃａｔ−ＨＴＲ処理を行い、供給原料からの、特に、ホッグフューエル、ＳＰＦ木材チップ、スラッジおよび黒液の混合物からのバイオ原油（バイオオイル）の製造に成功した。
【０２８８】
得られたバイオ原油は、無水無灰基準の総発熱量（ＧＣＶ）が３３〜３６ＭＪ／ｋｇの範囲であった。比較してみると、ディーゼル燃料のＧＣＶ（またはエネルギー含量）は４５ＭＪ／ｋｇ、未処理乾燥木材では約１８〜２１ＭＪ／ｋｇである。Ｌｉｃｅｌｌａは、この範囲の初期エネルギー含量を有するラジアータマツ木粉から蒸留して得たバイオ原油の水素化処理に成功し、完成燃料への進んだ処理段階での精製所の流れと適合する炭化水素を得ることができることを示した。黒液のアルカリ無機成分は、Ｌｉｃｅｌｌａで通常高エネルギー密度バイオ原油を製造するために使われているアルカリ触媒を置換可能であることがこの試験で確認された。すなわち、液相バイオマスを反応器に供給するのに加えて、黒液は、Ｃａｔ−ＨＴＲプロセスで追加のアルカリ触媒を加える必要性をなくすことができる。試験で使用した最高比率の黒液は、０．６５部の黒液に対し、約１部の乾燥木材供給原料であった（分析は表４の通り）。この場合には、使用した最高レベルの黒液は、ＳＰＰの作製材料と適合する硫黄のレベルおよびプラントの安全操作に適合する発生炉ガス中の硫化水素の予測レベルにより決定した。
【０２８９】
供給原料試験のまとめ
供給原料調製
使用した供給原料は下記とした。ＳＰＦ木材チップ（エゾマツ−モミ−マツ木材チップ）；ホッグフューエル（木材チップ、樹皮、などを含む木材残渣）；製紙スラッジ；および黒液。
【０２９０】
乾燥量基準で約１００ｋｇのそれぞれの固体供給原料を得た。ほとんどの種類の供給原料で、処理の前にある程度の前処理が必要であった。固体材料は水または他の溶媒中のスラリーとして処理され、固体材料の粒径は、高圧で圧送可能なスラリーを生成するにの好適な大きさである。小パイロットプラント（ＳＰＰ）は、その小さいポンプバルブオリフィスのために、市販設備より強力な供給原料の粉砕が必要である。ＳＰＰのために、特に、最大粒径を約１５０ミクロン直径まで小さくするのが好ましい。湿式および乾式粉砕の両方を使用したが、ＳＰＰに必要なより小さい粒径のために、通常は、乾式粉砕を採用した。
【０２９１】
固体供給原料調製
湿式粉砕作業後に、木材チップ、ホッグフューエルおよびスラッジ供給原料の乾式粉砕を、改良型圧縮空気ジェットミルを使って、契約会社のＡｘｉｍｉｌｌで行った（照会先：ｈｔｔｐ：／／ｗｗｗ．ａｘｉｍｉｌｌ．ｃｏｍ）。供給原料は、約１０％の水分で供給した（しかし、この報告内の供給原料質量は、乾燥量基準で示す）。粒径は１３０ミクロン以下に小さくなり、典型的な粒度分布データは要求があれば利用可能である（しかし、この供給原料は、ＳＰＰ特有であり、その後の大規模試験の興味の対象になりそうもない）。試験した供給原料分析を以下に示し、本明細書の供給原料分析セクションでの、近似分析、元素分析、および灰成分分析を含む。
【０２９２】
Ｃａｔ−ＨＴＲ用の黒液調製
受入時のままの黒液（表４の通り）を水で１００体積％に希釈した。小パイロットプラントのポンプの仕様に適合するように、希釈した混合物を２５０ミクロンのふるいを通して濾過し、プラスチックおよび木材チップなどの大きすぎる粒子および混入物を除去した。除去した材料の量は、全体試料の無視できる比率であった。その後、濾過、希釈した黒液を、種々のレベルでＣａｔ−ＨＴＲ用の他の供給原料に添加するためのストック液として使用した。このストック液は、「ストック黒液」と呼ばれる。
【０２９３】
実験のまとめ
個々の実験の詳細説明は、実施例２に示す。下表３は、この調査の過程で実施した全実験を結果に関係なくまとめたものである。
【表２】
0006773658.tif 000004
【表３】
0006773658.tif 000005
【０２９４】
化学分析
−バイオ原油および供給原料の近似分析方法。
試料を秤量し、るつぼ中９００℃で加熱、ＡＳ２４３４．２に従って揮発性物質および固定炭素を測定。揮発性物質および固定炭素は供給原料に対してのみ示される。
【０２９５】
固体供給原料および油性生成物灰分収率は、ＨＲＬ  ｍｅｔｈｏｄ  １．６に従って実施される。試料は蓋なし坩堝中、重量変化が無くなるまで、８１５℃で保持される。
【０２９６】
近似分析の結果は、灰分、揮発性物質および固定炭素で、これらは、試料質量の乾燥量基準パーセンテージとして測定される。結果から、供給原料の「反応性」、および予測「固形物」の量の推定が可能となる。
【０２９７】
−元素分析
元素分析は、ＨＲＬ  ｍｅｔｈｏｄ  １．４  ｓａｍｐｌｅ  ｉｎ  ａ  ＣＨＮ  ａｎａｌｙｓｅｒ、により行われる。
元素分析は、試料の最も重要な元素−炭素、水素、窒素、硫黄および酸素の分析である。酸素含量は、それが試料のエネルギー含量と逆相関するので、重要な指標である。Ｃａｔ−ＨＴＲプロセスは、操作条件に従って、酸素を保持または除去するように稼働できる。バイオ原油の目標化学的比率または目的に応じて、残りの酸素を水素化により精製所段階で減らして、最高エネルギー密度を得てもよく；または酸素は、フェノールを含む酸素化された化学供給原料として、バイオ原油内に保持される（樹脂および可塑剤ならびに医薬品の化学前駆物質用として）。水素および炭素は、バイオ原油のエネルギー含量に対する主要寄与元素である。硫黄は、Ｃａｔ−ＨＴＲプラントの材料選択のために着目すべき対象であり、硫黄は、Ｃａｔ−ＨＴＲプラントの資本コストに影響を与える１つの因子である。バイオ原油中の硫黄は、酸素や窒素と一緒に、精製所の水素化処理ユニット中でまたは専用水素化処理装置中で除去できる。硫黄は、ＨＲＬ  ｍｅｔｈｏｄ  １．１４により、炉内に取り付けられたＩＣＰまたは硫黄アナライザーで測定される。油性生成物中の硫黄レベルは、ＵＳＥＰＡ  ｍｅｔｈｏｄ  ５０５０により測定される。総発熱量は組成物の直接的な結果である。それは、試料の燃焼により利用できるエネルギーを表す。高レベルの塩素またはクロリドはプラント鋼材を腐食する可能性があるので、塩素が測定される。
【０２９８】
灰分組成物は、一般供給原料および生成物品質評価のための、試料中に存在する無機成分の尺度である。黒液を含むリグノセルロース系材料は、無機化合物を含み、一部の不溶性の無機物は、バイオ原油生成物に持ち込まれると予測される。一部の灰成分が水素化処理で使われる触媒に悪影響を与える可能性があるので、例えば、水素化処理によりさらに精製する前に、灰分を除去する必要がある。蒸留はこれを行うのに最もよく使われる方法であり、Ｃａｔ−ＨＴＲ由来のバイオ原油と、例えば、高速熱分解由来の熱分解バイオオイルとの間の重要な差異は、バイオ原油は蒸留することができるが、熱分解油はそれができないことである。これが、熱分解油が高酸素含量を有し、安定性が低いことの理由である。バイオ原油の灰分は、精製所の前端部の蒸留プロセスにより除去し得る。灰分は、乾燥量基準パーセンテージとして報告され、本明細書で報告される灰分組成は、無機物が酸化物型で存在することが仮定されている。この仮定は、灰分組成の合計が１００％を超える場合があり、一部の他の無機物が考慮されない可能性があることを意味する。
【０２９９】
−溶媒抽出
溶媒抽出は、水相生成物の測定量に基づいて、ジエチルエーテルを使って、水相から回収可能油を溶解および分離することにより実施される。エーテル抽出は、エーテル抽出可能な化学薬品およびエーテル抽出残留物の両方の定量結果をもたらす。
【０３００】
エーテル抽出可能な化学薬品は、アルコール、ケトン、フェノールおよび短鎖炭化水素を含む、より軽質留分の油である。フェノールの多くは、香料およびエッセンス産業で使用される。溶媒抽出は、これらの有機成分を定量化する迅速な方法として使用される。これらの有機成分は、場合によっては商業プラントで回収可能であり、その場合には、全油収率に加算され、精密化学産業にとって興味のある追加の生成物流となる可能性がある。
【０３０１】
抽出残留物には、供給原料、触媒および水溶性（エーテル不溶性）有機物由来の可溶性灰分を含む。後者の群には、グリコール酸および乳酸が含まれる。これらは、それぞれ、化粧品および生体高分子産業で使われる。触媒は再生可能であるが、しかし、安価であるため、触媒の再生と、生成ブラインの処理および廃棄との間の選択は、サイト特異的因子により影響を受ける。カリウムベース触媒を使うこともでき、その場合には、触媒残渣＋バイオマス由来の追加のカリウムは、肥料製品として応用されてよい。
【０３０２】
−エーテル抽出法
・１００ｇの使用を秤量する。
・硫酸を使って、ｐＨを約５に酸性化する。
・１００〜１５０ｍｌのエーテルを加える。
・撹拌しないで震盪する。
・１０分間沈降させ、密度による分離を待つ。
・水を底から抜き取る。
・エーテルを蒸発フラスコ中に注ぎ込み、エーテル抽出物の収集前後に秤量する。
・同じ水に対し、毎回新しいエーテルを使ってエーテル抽出サイクルを３回行う。
【０３０３】
空気中、１１０℃で乾燥することにより水から残留物を取り出し、固形物を収集し、秤量する。
【０３０４】
木材由来のいくつかの水溶性化合物、例えば、低分子量アルコールおよびケトン、例えば、メタノール、エタノール、およびアセトンがあり、これらは前述の方法では評価されない。これらの化合物類は、ラジアータマツが処理される場合、１Ｈ  ＮＭＲおよびＧＣ分析から、かなりの量でＣａｔ−ＨＴＲ液中に存在することが知られている。ラジアータマツに関する前に記載の調査由来の定量化に基づいて、供給原料中に存在する６％の有機材料のマスバランスに対する寄与は、本報告のマスバランスに含まれている。
【０３０５】
−水分析
上記の溶媒抽出による重量分析に加えて、水試料の一連の水質パラメータについてＥｎｖｉｒｏｌａｂ  Ｓｅｒｖｉｃｅｓで分析した。
【０３０６】
実施例２：結果
【表４−１】
0006773658.tif 000006
【表４−２】
0006773658.tif 000007
【０３０７】
供給原料の比較
ラジアータマツ木粉をバイオマスＣａｔ−ＨＴＲ用の基準供給原料として使用した。ＳＰＦ木材チップは、近似分析および元素分析の観点から、予想通りラジアータマツに極めて類似している。ホッグフューエルは、前述の供給原料のいずれより高い灰分を有し、これはより高レベルの樹皮、針葉およびその他の混入物に起因すると思われる。灰分は、カルシウムが支配的であり、大抵の条件下で塩基性であり、Ｃａｔ−ＨＴＲで触媒作用を有する可能性がある。スラッジは、高灰分で、灰分はカルシウムが支配的であり、この場合にも、Ｃａｔ−ＨＴＲで触媒作用を有する可能性がある。表３に記載の前２回の実験で使用された配合供給原料は、大部分が供給原料からなるホッグフューエルおよび黒液残留物が支配的であると予測できる。
【０３０８】
水酸化ナトリウムを触媒として用いた実験と、黒液を触媒として用いた実験との１つのわずかであるが、有意になる可能性のある差異は、その触媒がプロセス中に添加される時点である。ＳＰＰでは、水酸化ナトリウム触媒は通常、供給原料スラリーの予備加熱および反応温度まで加熱するためのスラリーの蒸気との混合が起こった後に、高圧で注入される。対照的に、黒液試験は、大気圧スラリー混合タンク中で、黒液をスラリー内へ予混合する。スラリーおよび黒液混合物は、主スラリー高圧ポンプ、予備ヒーターを通り、蒸気注入位置へと通過する。そこで、反応器中に入るための最終温度を取得する。異なる処理手法の結果は、Ｃａｔ−ＨＴＲプロセス中で、黒液含有スラリーが、さらに後の時点で触媒が添加される場合より早期に反応を開始することが予測できるということである。
【０３０９】
試験結果
表５および６は、マスバランスデータおよび非凝縮性ガス組成物の概要を示す。
【０３１０】
マスバランス計算は、一定の定常状態運転期間の間にＣａｔ−ＨＴＲ反応器に入る供給原料の質量の７９〜１０７％が、捕捉されたタンクから収集された生成物（Ｔ４として知られる）中で、または排気されたガス流中で特定されているという程度までで終了される。例外は、２４／０７／１４（ホッグフューエル＋黒液）の実験で、これは非常に不十分な状態で終了した。通常、ラジアータマツ木粉実験では、我々は、マスバランスが８５〜１００％近傍で終了することを予測している。複雑な全ての成分を定量化することはできないという理由から、マスバランスは近似に過ぎず、多くの単純化と近似計算に基づくことに留意されたい。
【０３１１】
供給原料に伴うマスバランスの終了の程度の大きい変動は、おそらく、黒液の無機成分の大きな複雑さおよび水相組成物において生ずる不確実性に最も関係しているのであろう。
【表５−１】
0006773658.tif 000008
【表５−２】
0006773658.tif 000009
【表６】
0006773658.tif 000010
【０３１２】
バイオ原油収率
小パイロットプラントにおけるラジアータマツ木粉供給原料からの典型的なバイオ原油収率は、乾燥木材供給原料ベースで、２０代の中間ないしそれより低いレベルの％値である。これらの収率は、Ｌｉｃｅｌｌａのより大きなパイロットプラントで得られる収率（通常、３０％代の中位くらいの値またはそれ以上である）より低い。
【０３１３】
この差異の主な理由は、ＳＰＰで圧送できる、より低い最大スラリー濃度、およびスラリーを反応温度にまで加熱するために使用される蒸気の量にあり、この蒸気量は、ＬＰＰの場合ＳＰＰより遥かに大きい。一般に、Ｃａｔ−ＨＴＲ反応器中のより高濃度のバイオマス（およびより希薄水）は、水相に溶解する有機材料の比率を犠牲にすることにより、バイオ原油のより高収率化に有利になる。
【０３１４】
見かけ上は、約１／３の供給原料バイオマスのバイオ原油への変換は、極めて低収率のようであるが、しかし、そのステップでは、酸素の除去によりかなりのエネルギーの濃縮が起こっている。ヘミセルロースおよびセルロースを含む糖ポリマーの質量の半分超が酸素である。酸素は、主として二酸化炭素ガスとして除去されるが、水相に溶解する酢酸ナトリウムなどの少量のカルボン酸の塩としても除去される。Ｃａｔ−ＨＴＲ中の木質バイオマスの末路に関する経験則では、その質量の１／３がバイオ原油に、１／３がガス、主にＣＯ２に、および１／３が水溶性化学薬品に変換される。供給原料からのバイオ原油収率は通常、ＳＰＰによる予測と一致するが、１４／０８／１４の実験は例外で、回収バイオ原油の量は少ない。この理由は不明であるが、おそらく、一部のバイオ原油が装置中にトラップされ、回収されないのであろう。
【０３１５】
ガス収率および組成
一般に、非凝縮性ガス（ＮＣＧ）収率は、全ての実験で、ラジアータマツ木粉の、１２％の触媒添加、２４０バールの圧力および３４０℃の温度下での典型値（３０％）よりわずかに低い。ラジアータマツ＋黒液実験の場合には、この理由は、ラジアータマツ木粉に比べて、黒液由来の触媒のわずかに低いガス化作用およびセルロースの低い比率（黒液は有機構成成分として、主にリグニンおよびヘミセルロースを含む）に起因すると思われる。ホッグフューエルが多い実験の場合には、より低いＮＣＧの生成はまた、選択したより低い反応温度に関連すると思われる。水酸化ナトリウム触媒実験と、黒液触媒実験とのガス組成の主な差異は、後者の系で、水素の生成が少なく、硫化水素の生成が多いという点である。ラジアータマツ供給原料を使った場合の水酸化ナトリウム触媒系のＨ２Ｓ生成は、ほぼ無視できる。ガス中のＨ２Ｓの比率は、表５と６の最初の２つの記載からわかるように、黒液濃度の単純な関数ではない。これはおそらく水性相のｐＨの関数であろう。Ｌｉｃｅｌｌａによる典型的な木材＋水酸化ナトリウム触媒生成物は、非凝縮性ガス生成物中の約２０体積％のＨ２を生成する。ホッグフューエル＋水酸化ナトリウム実験は、より大きな比率のＨ２を生成したが、これはおそらく、ガス化時にホッグフューエル中の灰成分が触媒活性を有することを示しているのであろう。
【０３１６】
水相成分
水溶性成分は、特に、黒液を使った実験の場合に、最大の不確実性を有する。ラジアータマツ＋水酸化ナトリウム触媒の場合では、主要な水溶性成分は酢酸塩、炭酸水素塩、フェノール、ケトン、カテコール、エタノールおよびメタノール、ならびにフミン物質（褐色水溶性化合物、ジエチルエーテルに不溶）である。触媒として黒液を使う場合は、水溶性化学薬品は、さらに複雑になるであろう。
【０３１７】
バイオ原油生成物の元素分析および近似分析を以下で表にし、全ての成功したＣａｔ−ＨＴＲ試験の直接比較を示す。個々の実験は、表７に示す。
【表７−１】
0006773658.tif 000011
【表７−２】
0006773658.tif 000012
【０３１８】
黒液２０１４０５２１含有ラジアータマツ木粉
−操作条件（黒液含有木粉２０１４０５２１）
下表８は、ラジアータマツ木粉のマスバランス実験の操作条件を示す。この実験では、次のセクションで提供されるバイオ原油、合成ガスおよび水の試料を作製した。
【表８】
0006773658.tif 000013
【０３１９】
−マスバランス（黒液含有木粉２０１４０５２１）
生成物マスバランス試験の概要を下表９に示す。４．１ｋｇのストック黒液をこの供給原料スラリーで使用した（１：１質量ｄｂ比）。
【表９】
0006773658.tif 000014
【０３２０】
−ガス分析（黒液含有木粉２０１４０５２１）
【表１０】
0006773658.tif 000015
【０３２１】
−木材チップ２０１４０５２１のバイオ原油分析
【表１１】
0006773658.tif 000016
【０３２２】
−バイオ原油の溶媒抽出
木材チッププロセス水からの溶媒ジエチルエーテルを用いた油の抽出により、供給原料の画分として１１．９％（乾燥量基準）の抽出物を得た。回収可能合計油（バイオ原油＋エーテル抽出物）は、供給原料質量の３４．９％であった。
【０３２３】
黒液含有ラジアータマツ木粉２０１４０５２３
−操作条件（黒液含有木粉２０１４０５２３）
下表１２は、黒液含有木粉を使ったマスバランス実験の操作条件を示す。
【表１２】
0006773658.tif 000017
【０３２４】
マスバランス（黒液含有木粉２０１４０５２３）
この試験は、１５０Ｌのスラリーに対する７．７５ｋｇのストック黒液の比率で黒液を使用して実施した。スラリーは、８％ｄｂラジアータマツ木粉を含んでいた。木材に対するストック黒液の比率は、１：１．３ｄｂである。
【表１３】
0006773658.tif 000018
【０３２５】
ガス分析（黒液含有木粉２０１４０５２３）
【表１４】
0006773658.tif 000019
【０３２６】
バイオ原油分析（黒液含有木粉２０１４０５２３）
【表１５】
0006773658.tif 000020
【０３２７】
Ｃａｔ−ＨＴＲ処理温度（３５５℃〜３３５℃）は、この場合も正常なバイオマス処理温度範囲内にあった。バイオ原油の灰分は約０．４％であった。バイオ原油は、３４．３ＭＪ／ｋｇの総発熱量を有する。
【０３２８】
−バイオ原油（黒液含有木粉２０１４０５２３）の溶媒抽出
木材チッププロセス水からの溶媒ジエチルエーテルによる油の抽出により、供給原料の画分として１３．２％（乾燥量基準）の抽出物を得た。回収可能合計油（バイオ原油＋エーテル抽出物）は、供給原料質量の３３．６％であった。
【０３２９】
水酸化ナトリウム含有ホッグフューエル２０１４０７１６
−操作条件（水酸化ナトリウム含有ホッグフューエル２０１４０７１６）
下表１６は、２０１４年７月１６日に実施したＣａｎｆｏｒホッグフューエルおよび水酸化ナトリウムに対するマスバランス実験の操作条件を示す。この実験では、次のセクションで提供されるバイオ原油、合成ガスおよび水の試料を作製した。
【表１６】
0006773658.tif 000021
【０３３０】
−マスバランス（水酸化ナトリウム含有ホッグフューエル２０１４０７１６）
この試験は、供給原料に対する１１．２重量％ｄｂの比率（目標比率は１２％であり、触媒注入ＶＳＤは１００％、ポンプストロークは、実験中調節可能ではなかった）の水酸化ナトリウムを使って実施した。スラリーは、７．８％ｄｂのホッグフューエルを含んでいた。
【表１７】
0006773658.tif 000022
【０３３１】
−ガス分析（水酸化ナトリウム含有ホッグフューエル２０１４０７１６）
【表１８】
0006773658.tif 000023
【０３３２】
−バイオ原油分析（水酸化ナトリウム含有ホッグフューエル２０１４０７１６）
下表１９に示すデータは、マスバランス実験由来のものである。
【表１９】
0006773658.tif 000024
【０３３３】
ホッグフューエル水酸化ナトリウム用のＣａｔ−ＨＴＲ処理温度は、ほとんどの部分が３３５℃（３２６℃〜３３７℃で変動）の反応器入口温度で安定であり、圧力は、ほとんどの部分が２７１バール（最低値２３０バールまで変動）で安定であった。
【０３３４】
バイオ原油の灰分は約６．６％であった。
【０３３５】
バイオ原油は、３６．３ＭＪ／ｋｇの総発熱量を有し、比較のために示すと、ディーゼル燃料は約４５ＭＪ／ｋｇである。
【０３３６】
−バイオ原油（水酸化ナトリウム含有ホッグフューエル２０１４０７１６）の溶媒抽出
ホッグフューエルＣａｔ−ＨＴＲ水からの溶媒ジエチルエーテルによる油の抽出により、供給原料の画分として１３．２％（乾燥量基準）の抽出物を得た。回収可能合計油（バイオ原油＋エーテル抽出物）は、供給原料質量の３６．５％であった。
【０３３７】
黒液含有ホッグフューエル（２０１４０７２４）
−操作条件（黒液含有ホッグフューエル２０１４０７２４）
下表２０は、黒液含有Ｃａｎｆｏｒホッグフューエルを使ったマスバランス実験の操作条件を示す。
【表２０】
0006773658.tif 000025
【０３３８】
−マスバランス（黒液含有ホッグフューエル２０１４０７２４）
この試験は、７．４４ｋｇのホッグフューエルに対する９．７ｋｇのストック黒液のｄｂ比率で黒液を使用して実施した。スラリーは、８．６％ｄｂのホッグフューエルを含んでいた。ホッグフューエルに対するストック黒液の比率は、１：１．３ｄｂである。
【表２１】
0006773658.tif 000026
【０３３９】
−ガス分析（黒液含有ホッグフューエル２０１４０７２４）
【表２２】
0006773658.tif 000027
【０３４０】
−バイオ原油分析（黒液含有ホッグフューエル２０１４０７２４）
下表２３に示すデータは、マスバランス実験由来のものである。
【表２３】
0006773658.tif 000028
【０３４１】
黒液含有ホッグフューエルに対する処理温度は、約３３０℃の反応器入口温度で実質的に安定であった。圧力は２２６〜２４４バールで変動した。バイオ原油の灰分は約２．８％であった。バイオ原油は、３２．６ＭＪ／ｋｇの総発熱量を有し、比較のために示すと、ディーゼル燃料は約４５ＭＪ／ｋｇである。
【０３４２】
−バイオ原油の溶媒抽出（黒液含有ホッグフューエル２０１４０７２４）
黒液含有ホッグフューエルのプロセス水からの溶媒ジエチルエーテルによる油の抽出により、供給原料の画分として９．２％（乾燥量基準）の抽出物を得た。油収率を２６．３％として。
【０３４３】
中間温度試験混合クラフト供給原料２０１４０７３１
−操作条件（混合クラフト供給原料２０１４０７３１）
下表２４は、混合クラフト供給原料を使ったマスバランス実験の操作条件を示す。この試験は、中間温度の３２１℃で実施した。
【表２４】
0006773658.tif 000029
【０３４４】
−Ｃａｎｆｏｒ混合供給原料Ｃａｔ−ＨＴＲ２０１４０７２４のマスバランス
混合クラフト供給原料混合物は、下記の固形物から構成される。
【表２５】
0006773658.tif 000030
【０３４５】
混合クラフト供給原料混合物は、下記の固形物から構成される。
この試験は、１０ｋｇ  ｄｂの混合木質供給原料に対して１３ｋｇのストック黒液の比率で黒液を使用して実施した。スラリーは、水に対し８．１％ｄｂの混合供給原料を含んでいた。混合乾燥供給原料に対するストック黒液の比率は、１．３：１ｄｂである。
【表２６】
0006773658.tif 000031
【０３４６】
−ガス分析（混合クラフト供給原料２０１４０７３１）
【表２７】
0006773658.tif 000032
【０３４７】
−バイオ原油分析（混合クラフト供給原料２０１４０７３１）
下表２８に示すデータは、マスバランス実験由来のものである。
【表２８】
0006773658.tif 000033
【０３４８】
混合クラフト供給原料の処理温度は、３３１〜３３６℃内で安定に保持された。バイオ原油の灰分含量は約２．６％であった。
【０３４９】
バイオ原油は、３３ＭＪ／ｋｇの総発熱量を有し、比較のために示すと、ディーゼル燃料は約４５ＭＪ／ｋｇである。
【０３５０】
−バイオ原油の溶媒抽出（混合クラフト供給原料２０１４０７３１）
Ｃａｎｆｏｒ混合供給原料プロセス水からの溶媒ジエチルエーテルを用いた油の抽出により、供給原料の画分として３５．６％（乾燥量基準）の抽出物を得た。回収可能合計油（バイオ原油＋エーテル抽出物）は、供給原料質量の５４．２％であった。
【０３５１】
高温試験混合クラフト供給原料２０１４０７８１４
−操作条件（混合クラフト供給原料２０１４０８１４）
下表２９は、混合クラフト供給原料に対するマスバランス実験の操作条件を示す。
【表２９】
0006773658.tif 000034
【０３５２】
−マスバランス（混合クラフト供給原料２０１４０８１４）
混合クラフト供給原料混合物は、下記の固形物から構成される。
【表３０】
0006773658.tif 000035
【表３１】
0006773658.tif 000036
【０３５３】
混合クラフト供給原料試験に対するＣａｔ−ＨＴＲ反応器全域のマスバランスに著しいマスミッシングがある。この挙動は、反応器および冷却器の内部パイプ内に保持された材料により説明される可能性がある。
【０３５４】
−ガス分析（混合クラフト供給原料２０１４０８１４）
【表３２】
0006773658.tif 000037
【０３５５】
−バイオ原油分析（混合クラフト供給原料２０１４０８１４）
下表３３に示すデータは、マスバランス実験由来のものである。
【表３３】
0006773658.tif 000038
【０３５６】
バイオ原油の灰分は約２％であった。
バイオ原油は、３３．７ＭＪ／ｋｇの乾燥量基準総発熱量を有する。
【０３５７】
−バイオ原油の溶媒抽出（混合クラフト供給原料２０１４０８１４）
Ｃａｎｆｏｒ混合供給原料プロセス水からの溶媒ジエチルエーテルを用いた油の抽出により、供給原料の画分として１６．１％（乾燥量基準）の抽出物を得た。油収率（バイオ原油＋エーテル抽出物）を２９．８％として算出。
【０３５８】
実施例３：考察
バイオ原油品質
バイオ原油品質は、第一に、その総発熱量（ＧＣＶ）によって最も容易に評価される。これは、材料中に含まれる総エネルギーであり、バイオ原油の酸素および水素含量と密接に関連している。ＳＰＰ上での水酸化ナトリウム触媒含有ラジアータマツ木粉に対しては、典型的なバイオ原油のＧＣＶは、３４〜３６乾燥量基準ＭＪ／ｋｇの範囲である。
【０３５９】
ラジアータマツ木粉バイオ原油は、低い灰分であり、そのため、乾燥量基準値は無水無灰基準（ｄａｆ）値と類似している。ホッグフューエルおよび黒液供給原料由来のバイオ原油は、著しく高い灰分値を有するので、これらをｄａｆ基準で比較するのがより適切である。
【０３６０】
図１では、ｄａｆ基準のＧＣＶが、このプロジェクトで作製されたバイオ原油および過去の一連のラジアータマツ由来Ｌｉｃｅｌｌａバイオ原油（乾燥量基準）の酸素含量に対してプロットされている。酸素含量は、［１００−％Ｃ−％Ｈ−％Ｓ−％Ｎ］としての元素分析との差により決定される。従って、系統誤差および偶発誤差の蓄積を受け、その結果、これらの値に関連する誤差は、±１〜２％と推定される。
【０３６１】
本調査由来のバイオ原油の発熱量は、３４〜３６ＭＪ／ｋｇの目標帯の範囲内にあるか、またはそれに極めて近い範囲内にある。蒸留時には、バイオ原油留出物は、１１％に近い酸素含量を有することが予測できる。この目標の意味は、油の水素化脱酸素（ＨＤＯ）用として、約１１％の酸素に対する商用水素処理技術が存在するということにある。Ｌｉｃｅｌｌａの評価は、バイオ原油中の残りの酸素が、従来の精製所プロセスの水素処理により、その他のプロセスより効率的に除去されるという点である。これらの値は、黒液中の触媒成分が、Ｃａｔ−ＨＴＲ用途において、塩基性触媒水酸化ナトリウムを効果的に置換することができることを示している。バイオ原油中に存在するその他の主要なヘテロ原子は、窒素と硫黄である。これらの元素の両方は、ホッグフューエルおよび黒液由来のバイオ原油中の方がラジアータマツ木粉由来のバイオ原油中の場合より多い。硫黄は、油精製プロセスが脱硫を完遂するように設計されるので、今後の改善に向けた問題となりそうにない。バイオ原油中の窒素含有量の分布および性質を、蒸留後に調査して、下流処理に与える影響の可能性を評価する必要があると思われる。脱窒ステップは、油精製プロセスで十分に確立されている。
【０３６２】
芳香族化合物含量
１３Ｃ  ＮＭＲ分光法によると、ラジアータマツ木粉由来のバイオ原油は、芳香族環境中にそれらの炭素原子の約５０％が存在する。これは、水素化脱酸素バイオ原油が５０％の芳香族化合物を含むことを意味するのではないが、例えば、触媒改質により、芳香族化学薬品を生成する高い潜在力を示している。高比率の黒液をベースにしたバイオ原油は、さらに高い芳香族含量を有すると予測し得るが、しかし、これは試験により確認する必要がある。
【０３６３】
このシナリオは、芳香族化学薬品の生成に使用される留分が比較的少ない、米国のシェール油の影響が高まっているために、商業的に関心を持たれている。
【０３６４】
バイオ原油収率
セクション９．０で考察したように、バイオ原油収率は通常、ＳＰＰを使って処理された他の供給原料と一致する。ＳＰＰは、比較的大量の超臨界蒸気を使って、バイオマススラリーを反応温度まで加熱し、その結果の希釈により、バイオ原油の水相中への溶解が生じやすい。これは、例えば、他の研究者により報告されている現象である。
【０３６５】
実施例４：廃水試料分析
【表３４−１】
0006773658.tif 000039
【表３４−２】
0006773658.tif 000040
【表３４−３】
0006773658.tif 000041
【表３４−４】
0006773658.tif 000042
【表３４−５】
0006773658.tif 000043
【表３４−６】
0006773658.tif 000044
【表３４−７】
0006773658.tif 000045
【表３４−８】
0006773658.tif 000046
【表３５−１】
0006773658.tif 000047
【表３５−２】
0006773658.tif 000048
【表３５−３】
0006773658.tif 000049
【表３５−４】
0006773658.tif 000050
【表３６−１】
0006773658.tif 000051
【表３６−２】
0006773658.tif 000052
【表３６−３】
0006773658.tif 000053
【表３６−４】
0006773658.tif 000054
【表３７】
0006773658.tif 000055
【表３８】
0006773658.tif 000056
【表３９】
0006773658.tif 000057
【表４０】
0006773658.tif 000058
【表４１】
0006773658.tif 000059
【表４２】
0006773658.tif 000060
【表４３】
0006773658.tif 000061
【表４４】
0006773658.tif 000062
【表４５】
0006773658.tif 000063
【表４６】
0006773658.tif 000064
【０３６６】
実施例５：統合されたクラフトパルプ工場および熱化学変換プラント
本明細書に記載の５７１トン／日（ｔｐｄ）の乾燥有機物質供給原料を消費する熱化学変換サブシステムが１，０００ｔｐｄクラフトパルプ工場と統合される。
【０３６７】
１，０００ｔｐｄクラフトパルプ工場の回収ボイラーは、約１，７５０ｔｐｄの黒液固形物を焼却することになり、この内、約６０％〜６６％（すなわち、約１０５０ｔｐｄ〜１１５０ｔｐｄ）が有機物質である。したがって、５７１ｔｐｄの有機物質供給原料を消費する熱化学変換サブシステムは、回収ボイラー中で焼却される黒液固形物の量を５０％〜５７％ほども減らすことができる。
【０３６８】
特定の実施形態では、５７１ｔｐｄの有機物質供給原料を消費する熱化学変換サブシステムで、１ｋｇのバイオマス当たり０．３０ｋｇの乾燥黒液固形物（１７１ｔｐｄの乾燥黒液固形物）が使用される。熱化学変換サブシステムに供給される有機物質供給原料として、７８ｋｇのホッグフューエルに対する比率で、２０ｋｇの木材チップ、２ｋのスラッジ、３０ｋｇの乾燥黒液固形物（この黒液固形物の内の約２０ｋｇが有機物質である）、が供給される。このような実施形態によると、約１７％、すなわち、約９５〜１０３ｔｐｄの有機物質供給原料が黒液固形物により供給される。したがって、このような実施形態では、１，０００ｔｐｄクラフト工場の回収ボイラー中で焼却される黒液固形物の量を８．３％〜９．５％ほども減らすことができる。
【０３６９】
１，０００ｔｐｄクラフト工場はまた、チップ完成紙料の原材料に応じて、約６５ｔｐｄ〜約１３２ｔｐｄのトール油石鹸を回収し得るが、この内の約６０％〜６５％が乾燥有機物質である（すなわち、約３９ｔｐｄ〜約８６ｔｐｄ）。したがって、約７％〜１５％の有機物質供給原料がトール油石鹸の形態で供給可能であり、これにより、トール油石鹸からトール油への処理コストが大きく低減される。
【０３７０】
１，０００ｔｐｄクラフト工場はまた、６〜１２ｔｐｄもの多くのメタノールを凝縮水の形態で生成し、これにより、熱化学変換サブシステムに必要な有機物質の約１〜２％を供給できる。凝縮水流はまた、多くのその他の有機物（エタノール、メチルエチルケトン、ＴＲＳ、などを含む）を含み、これらにより、必要な有機物質の内の０．５〜２％をさらに供給可能であろう。
【０３７１】
熱化学変換サブシステムの反応混合物は、約９〜２０％になり得、従って、熱化学変換システムは、約６３３４．４ｔｐｄの水を使用し得る。この水は、１，０００ｔｐｄの工場に対しは、１トンのパルプ当たり６．３トンまたはｍ３になる。熱化学変換サブシステムで使われるプロセス水の一部は、サブシステム内でリサイクルして、加熱要求を減らし得る。しかし、このプロセス水の一部はパルプ工場中の所定の場所（通常、凝縮水が利用される）に戻すことができ、それにより、パルプ工場から熱化学変換サブシステムに向けられる凝縮水を置換することができる。例えば、典型的なクラフト工場は、漂白プラントで１トン当たり３０ｍ３を超える水、褐色紙料洗浄で１トン当たり１０ｍ３の水、および再苛性化で１トン当たり２〜４ｍ３の淡水を使用する。
【０３７２】
作用
本発明の具体的実施形態が記載され、例示されてきたが、このような実施形態は本発明を単に例示するものと見なされるべきであり、添付請求項の発明に従って解釈される本発明を限定するものと解釈されるべきではない。
本開示には以下の実施形態も開示される。
［実施形態１］
統合されたクラフトパルプ工場および熱化学変換システムであって、
リグノセルロース系材料を白液で蒸解して、パルプおよび黒液を製造するための蒸解装置を含むクラフトパルプ工場と、
前記パルプ工場から受け取った蒸解廃液を有機物質供給原料および水と混ぜ合わせて反応混合物を生成するための少なくとも１つの混合タンク、
前記反応混合物中の全てまたは一部の前記有機物質を、バイオ生成物および有機および無機化合物の両方を含む水溶液流を含む生成物混合物に変換するのに好適する反応温度および圧力で、前記混合タンクから受け取った前記反応混合物を処理ための反応器、および
前記反応器から受け取った生成物混合物を除圧するための減圧装置、
を含む熱化学変換サブシステムと、
前記蒸解廃液を前記パルプ工場から前記混合タンクに送るための１つまたは複数のコンベヤーと、を含むシステム。
［実施形態２］
前記パルプ工場が、前記蒸解装置から受け取った希黒液を濃縮して濃黒液および凝縮水を生成するための蒸発器をさらに含む、実施形態１に記載のシステム。
［実施形態３］
前記凝縮水が、有機物富化凝縮水であり、前記有機物富化凝縮水が、メタノール、エタノール、有機および／または還元硫黄種、またはこれらの任意の組み合わせを含む、実施形態２に記載のシステム。
［実施形態４］
前記有機または還元硫黄種が、メチルメルカプタン、硫化水素、ジメチルメルカプタン、ジメチルジスルフィド、またはこれらの組み合わせを含む、実施形態３に記載の方法。
［実施形態５］
前記１つまたは複数のコンベヤーが、希液を前記混合タンクに送るための希液コンベヤー、濃黒液を前記蒸発器から前記混合タンクに送るための濃黒液コンベヤー、重黒液を濃縮機から前記混合タンクに送る重黒液コンベヤー、またはこれらの両方を含む、実施形態２、３、または４に記載のシステム。
［実施形態６］
一部の前記黒液が、前記希黒液の表面に集まったトール油石鹸に同伴され、前記希黒液の表面からすくい取られたトール油石鹸を前記混合タンクに運ぶトール油石鹸コンベヤーをさらに含む、実施形態２〜５のいずれか１項に記載のシステム。
［実施形態７］
前記パルプ工場の少なくとも１つの水源から前記混合タンクに水を運ぶための少なくとも１つの水コンベヤーをさらに含み、前記パルプ工場の少なくとも１つの水源が、
工場水、
褐色紙料洗浄由来の希濾液、
漂白廃水、
清浄凝縮水；
不浄凝縮水、
汚染凝縮水、
混合凝縮水、
ストリッパー凝縮水、
蒸解装置凝縮水、
蒸発器凝縮水、
またはこれらの任意の組み合わせを含む、実施形態１〜６のいずれか１項に記載のシステム。
［実施形態８］
前記パルプ工場に付随する少なくとも１つの蒸気源から前記反応器に蒸気を運ぶための少なくとも１つの蒸気コンベヤーをさらに含む、実施形態１〜７のいずれか１項に記載のシステム。
［実施形態９］
前記パルプ工場に付随する少なくとも１つの蒸気源からの蒸気が、少なくとも１つの熱交換器を経由して、前記反応器または前記供給原料スラリーに送られる、実施形態８に記載のシステム。
［実施形態１０］
前記少なくとも１つの蒸気源が、
ホッグフューエルボイラー、
回収ボイラー、
パッケージボイラー、
ブロータンク、
タービン、
復水タービン、
前記熱化学反応器由来の熱水混合蒸気、
またはこれらの任意の組み合わせである、実施形態８または９に記載のシステム。
［実施形態１１］
前記熱化学変換サブシステムが、前記反応生成物を前記バイオ生成物および分離水に分離するための分離装置をさらに含む、実施形態１〜１０のいずれか１項に記載のシステム。
［実施形態１２］
分離水を前記パルプ工場または廃水処理システムに送るための少なくとも１つの分離水コンベヤーをさらに含む、実施形態１１に記載のシステム。
［実施形態１３］
前記少なくとも１つの分離水コンベヤーが、有機物除去用空気または蒸気ストリッパー、有機物除去用蒸留塔、褐色紙料洗浄、漂白プラント、再苛性化装置、前記廃水処理システム、これらの任意の組み合わせに前記分離水を送るためのものである、実施形態１１に記載のシステム。
［実施形態１４］
前記減圧装置から前記パルプ工場に蒸気を送るための蒸気導管をさらに含む、実施形態１〜１２のいずれか１項に記載のシステム。
［実施形態１５］
システムは、前記パルプ工場中の少なくとも１つの有機物質源から前記混合タンクに有機物質を送り、少なくとも一部の前記反応混合物を形成するための少なくとも１つの有機物質コンベヤーをさらに含む、実施形態１〜１３のいずれか１項に記載のシステム。
［実施形態１６］
前記少なくとも１つの有機物質源が、
希黒液、
濃黒液、
凝縮水、
トール油石鹸、
天然硫酸テレビン油、
ノット、
スクリーンかす、
黒液繊維廃棄物、
前記廃水処理システム由来一次スラッジ、
廃水処理プラント由来二次スラッジ、
ホッグフューエル、
木材チップ、
オガクズ、
砕木粉、
またはこれらの任意の組合せである、実施形態１５に記載のシステム。
［実施形態１７］
前記混合タンクが黒液、有機物質、凝縮水、またはこれらの任意の組み合わせを、前記パルプ工場から受け取る速度を検出する１つまたは複数の検出器をさらに含む、実施形態１〜１６のいずれか１項に記載のシステム。
［実施形態１８］
前記混合タンクでの黒液、有機物質、凝縮水またはこれらの任意の組み合わせの、前記パルプ工場からの前記検出受け取り速度の変化に応じて、有機材料が前記混合タンクおよび反応器に加えられる速度を調節するための調節器をさらに含む、実施形態１７に記載のシステム。
［実施形態１９］
水溶液流を前記熱化学変換サブシステムから前記パルプ工場に送るための少なくとも１つの水溶液流コンベヤーをさらに含む、実施形態１〜１８のいずれか１項に記載のシステム。
［実施形態２０］
灰分を前記パルプ工場の少なくとも１つの灰分源から前記混合タンクへ送るための少なくとも１つの灰分コンベヤーをさらに含み、前記少なくとも１つの灰分源が、ホッグフューエルボイラー灰分、フライアッシュ、またはその両方である、実施形態１〜１９のいずれか１項に記載のシステム。
［実施形態２１］
前記バイオ生成物反応器中の固形物堆積を減らすために、緑液清澄器から前記混合タンクへ滓を運ぶための滓コンベヤーをさらに含む、実施形態１〜２０のいずれか１項に記載のシステム。
［実施形態２２］
非凝縮性ガス（ＮＣＧ）中の硫黄の回収または分解のために、前記減圧装置から、回収ボイラー、石灰キルン、ホッグフューエルボイラー、ＮＣＧ焼却炉、またはこれらの任意の組み合わせに、前記ＮＣＧを送るＮＣＧコンベヤーをさらに含む、実施形態１〜２１のいずれか１項に記載のシステム。
［実施形態２３］
蒸解および／または漂白のための苛性物および塩素ならびに前記熱化学変換システムの前記水素化処理装置に送ることができる水素の供給用の塩素アルカリプラント、
二酸化塩素の前記パルプ工場の漂白プラントへの供給、および水素の前記熱化学変換システムの水素化処理装置への供給用の塩素酸ナトリウムプラント、
前記熱化学変換システムの水素化処理装置へ水素を供給するための過酸化水素プラント、
またはこれらの任意の組み合わせをさらに含む、実施形態１〜２１のいずれか１項に記載のシステム。
［実施形態２４］
バイオ生成物の製造方法であって、
リグノセルロース系材料を白液で蒸解して、パルプおよび黒液を製造すること、
有機物質供給原料および水と混ぜ合わせるために、少なくとも一部の前記黒液を熱化学変換システムに送ること、
方法は、前記一部の黒液を前記有機物質供給原料および水と混ぜ合わせて、反応混合物を生成すること、
前記反応混合物中の全てまたは一部の有機物質を、前記バイオ生成物および水溶液流を含む生成物混合物に変換するのに好適する反応温度および圧力で、前記反応混合物を処理すること、
および、前記生成物混合物を除圧すること、を含む方法。
【図１】
0006773658.tif 000065
【図２Ａ】
0006773658.tif 000066
【図２Ｂ】
0006773658.tif 000067